(57)【要約】  通信方法及び通信装置が開示される。通信方法において、第１の端末がリソース周期パラメータを取得し、リソース周期パラメータは、ネットワーク側デバイスにより送出され、あるいは第１の端末により予め構成され、少なくとも１つのリソースがあり、リソース周期パラメータは、少なくとも１つのリソースの各々の周期継続時間を含み、第１の端末は、リソース周期の開始時間ユニットを決定し、第１の端末は、リソース周期の開始時間ユニットとリソース周期パラメータとに従い通信データを送出する。ゆえに、リソース周期の開示時間ユニットはランダムであり、より柔軟であり、端末のデータパケット生成時間のランダム性の特徴に適合でき、さらに、通信データ送信性能が改善でき、レイテンシが低減できる。
2019503624.tif 000002
【特許請求の範囲】
【請求項１】
第１の端末により、リソース周期パラメータを取得するステップであり、前記リソース周期パラメータは、ネットワーク側デバイスにより送出され、あるいは前記第１の端末により予め構成され、少なくとも１つのリソースがあり、前記リソース周期パラメータは、前記少なくとも１つのリソースの各々の周期継続時間を含む、ステップと、
前記第１の端末により、リソース周期の開始時間ユニットを決定するステップと、
前記第１の端末により、前記リソース周期の前記開始時間ユニットと前記リソース周期パラメータとに従い通信データを送出するステップと、
を含む通信方法。
【請求項２】
前記第１の端末は、前記ネットワーク側デバイスにより割り振られた時間ドメインリソースを使用することにより前記通信データを送出し、
前記第１の端末により、前記リソース周期の開始時間ユニットを決定する前記ステップは、
前記第１の端末により、前記リソース周期の前記開始時間ユニットとして、スケジューリング情報が受信されたサブフレームに対応するサイドリンクサブフレームの後の第Ｋのサイドリンクサブフレームを使用するステップ、又は
前記第１の端末により、前記リソース周期の前記開始時間ユニットとして、スケジューリング情報が受信されたサブフレームの後の第Ｋのサブフレームに対応するサイドリンクサブフレームを使用するステップ、
を含み、
Ｋは非負の整数であり、前記スケジューリング情報は前記ネットワーク側デバイスにより送出される、
請求項１に記載の方法。
【請求項３】
前記第１の端末は、前記ネットワーク側デバイスにより割り振られた時間ドメインリソースを使用することにより前記通信データを送出し、
前記第１の端末により、前記リソース周期の開始時間ユニットを決定する前記ステップは、
前記第１の端末により、前記リソース周期の前記開始時間ユニットとして、スケジューリング情報により示された時間ユニットを使用するステップであり、前記スケジューリング情報は前記ネットワーク側デバイスにより送出される、ステップ
を含む、請求項１に記載の方法。
【請求項４】
前記第１の端末により、前記リソース周期の開始時間ユニットを決定する前記ステップの前、当該方法は、
前記第１の端末により、システムフレーム番号ＳＦＮと直接フレーム番号ＤＦＮとの間のオフセットを取得するステップ
をさらに含む、請求項３に記載の方法。
【請求項５】
前記第１の端末は、自律的に選択された時間ドメインリソースを使用することにより前記通信データを送出し、
前記第１の端末により、前記リソース周期の開始時間ユニットを決定する前記ステップは、
前記第１の端末により、前記リソース周期の前記開始時間ユニットとして、より高いレイヤでトランスポートブロックを送出するための開始サブフレームを使用するステップ
を含む、請求項１に記載の方法。
【請求項６】
当該方法は、
前記第１の端末により、周期パラメータ調整命令情報を前記ネットワーク側デバイスに送出するステップと、
前記第１の端末により、調整の後に前記ネットワーク側デバイスにより取得されたリソース周期パラメータを取得するステップと、
をさらに含む、請求項１乃至５のうちいずれか１項に記載の方法。
【請求項７】
当該方法は、
前記第１の端末により、送信系列番号指示情報及び時間ドメイン送信リソース指示情報を第２の端末に送出するステップ、をさらに含み、
前記送信系列番号指示情報は、前記リソース周期における前記送出される通信データの送信系列番号を示すために使用され、
前記時間ドメイン送信リソース指示情報は、前記リソース周期の前記開始時間ユニットに対して相対的であり、かつ前記リソース周期に前記通信データを送出するために毎回占有される、時間ドメインリソース位置を示すために使用される、
請求項１乃至６のうちいずれか１項に記載の方法。
【請求項８】
当該方法は、
前記第１の端末により、周期開始点指示情報及び時間ドメイン送信リソース指示情報を第２の端末に送出するステップ、をさらに含み、
前記周期開始点指示情報は、前記リソース周期の前記開始時間ユニットを示すために使用され、
前記時間ドメイン送信リソース指示情報は、前記リソース周期の前記開始時間ユニットに対して相対的であり、かつ前記リソース周期に前記通信データを送出するために毎回占有される、時間ドメインリソース位置を示すために使用される、
請求項１乃至６のうちいずれか１項に記載の方法。
【請求項９】
第１の端末により、ネットワーク側デバイスにより送出されたリソース周期パラメータを取得する前記ステップは、
前記第１の端末により、前記第１の端末の優先順位に従い前記ネットワーク側デバイスから、前記優先順位に対応するリソース周期パラメータを取得するステップ、又は
前記第１の端末により、前記送出される通信データのタイプに従い前記ネットワーク側デバイスから、前記通信データタイプに対応するリソース周期パラメータを取得するステップ
を含む、請求項１乃至８のうちいずれか１項に記載の方法。
【請求項１０】
当該方法は、
前記第１の端末により、リソース周期指示情報を前記第２の端末に送出するステップであり、前記リソース周期指示情報は、前記第１の端末により使用される前記リソース周期を示すために使用される、ステップ
をさらに含む、請求項１乃至９のうちいずれか１項に記載の方法。
【請求項１１】
第２の端末により、第１の端末により送出された送信系列番号指示情報及び時間ドメイン送信リソース指示情報を取得するステップであり、
前記送信系列番号指示情報は、前記リソース周期における送出される通信データの送信系列番号を示すために使用され、
前記時間ドメイン送信リソース指示情報は、前記リソース周期の開始時間ユニットに対して相対的であり、かつ前記リソース周期に前記通信データを送出するために毎回占有される、時間ドメインリソース位置を示すために使用される、ステップと、
前記第２の端末により前記送信系列番号指示情報及び前記時間ドメイン送信リソース指示情報に従い、時間ドメイン送信において前記リソース周期に前記第１の端末が毎回送出する前記通信データの前記時間ドメインリソース位置を決定するステップと、
を含む通信方法。
【請求項１２】
第２の端末により、第１の端末により送出された周期開始点指示情報及び時間ドメイン送信リソース指示情報を取得するステップであり、
前記周期開始点指示情報は、前記リソース周期の開始時間ユニットを示すために使用され、
前記時間ドメイン送信リソース指示情報は、前記リソース周期の前記開始時間ユニットに対して相対的であり、かつ前記リソース周期に通信データを送出するために毎回占有される、時間ドメインリソース位置を示すために使用される、ステップと、
前記第２の端末により前記送信系列番号指示情報及び前記時間ドメイン送信リソース指示情報に従い、時間ドメイン送信において前記リソース周期に前記第１の端末が毎回送出する前記通信データの前記時間ドメインリソース位置を決定するステップと、
を含む通信方法。
【請求項１３】
ネットワーク側デバイスにより、リソース周期パラメータを決定するステップと、
前記ネットワーク側デバイスにより、前記リソース周期パラメータを送出するステップと、
を含む通信方法。
【請求項１４】
当該方法は、
前記ネットワーク側デバイスにより、スケジューリング情報を送出するステップであり、前記スケジューリング情報はリソース周期の開始時間ユニットを含む、ステップ
をさらに含む、請求項１３に記載の方法。
【請求項１５】
当該方法は、
前記ネットワーク側デバイスにより、第１の端末により送出された周期パラメータ調整命令情報を受信するステップと、
前記ネットワーク側デバイスにより、前記周期パラメータ調整命令情報に従い前記リソース周期パラメータを調整し、調整の後に取得されたリソース周期パラメータを送出するステップと、
をさらに含む、請求項１３又は１４に記載の方法。
【請求項１６】
第１の端末により、エアインターフェース時間ユニットにおいてネットワーク側デバイスから時間ユニット指示情報を受信するステップであり、前記時間ユニット指示情報は、エアインターフェース時間ユニットとサイドリンク時間ユニットとの間の対応関係を示すために使用される、ステップと、
前記第１の端末により、前記エアインターフェース時間ユニット及び前記時間ユニット指示情報に従い前記サイドリンク時間ユニットを決定するステップと、
前記第１の端末により、前記サイドリンク時間ユニットにおいて通信データを送出するステップと、
を含む通信方法。
【請求項１７】
前記時間ユニット指示情報は、前記エアインターフェース時間ユニットの後の第Ｋのエアインターフェース時間ユニットに時間的に重なる２つのサイドリンク時間ユニットのうち１つを示すために使用され、Ｋは正の整数であり、
前記第１の端末により、前記エアインターフェース時間ユニット及び前記時間ユニット指示情報に従い前記サイドリンク時間ユニットを決定する前記ステップは、
前記第１の端末により前記時間ユニット指示情報に従い、前記サイドリンク時間ユニットとして、前記エアインターフェース時間ユニットの後の前記第Ｋのエアインターフェース時間ユニットに時間的に重なる前記２つのサイドリンク時間ユニットの中の１つのサイドリンク時間ユニットを決定するステップ
を含む、請求項１６に記載の方法。
【請求項１８】
前記時間ユニット指示情報は、下記の
前記２つのサイドリンク時間ユニットのうち系列番号が奇数である１つのサイドリンク時間ユニットを示す方式、
前記２つのサイドリンク時間ユニットのうち系列番号が偶数である１つのサイドリンク時間ユニットを示す方式、
前記２つのサイドリンク時間ユニットのうち時間がより早い１つのサイドリンク時間ユニットを示す方式、又は、
前記２つのサイドリンク時間ユニットのうち時間がより遅い１つのサイドリンク時間ユニットを示す方式
のうちいずれか１つにおいて前記２つのサイドリンク時間ユニットのうち１つを示す、請求項１７に記載の方法。
【請求項１９】
Ｋは、予め定義された固定値であり、あるいは前記ネットワーク側デバイスにより送出された値である、請求項１７又は１８に記載の方法。
【請求項２０】
前記時間ユニット指示情報は、サイドリンク上のフレーム内の時間ユニット系列番号を示すために使用され、
前記第１の端末により、前記エアインターフェース時間ユニット及び前記時間ユニット指示情報に従い前記サイドリンク時間ユニットを決定する前記ステップは、
前記第１の端末により、前記サイドリンク時間ユニットとして、前記サイドリンク上の前記時間ユニット系列番号に対応するサイドリンク時間ユニットを使用するステップであり、
前記時間ユニット系列番号に対応する前記サイドリンク時間ユニットの時間は、前記エアインターフェース時間ユニットの時間よりもより遅い、ステップ
を含む、請求項１６に記載の方法。
【請求項２１】
前記時間ユニット指示情報は、時間ユニットスケジューリング対応関係情報により示される少なくとも１つのサイドリンク時間ユニットのうち少なくとも１つを示すために使用され、前記時間ユニットスケジューリング対応関係情報は、前記エアインターフェース時間ユニットに対応する少なくとも１つのサイドリンク時間ユニットを示すために使用され、
前記第１の端末により、前記エアインターフェース時間ユニット及び前記時間ユニット指示情報に従い前記サイドリンク時間ユニットを決定する前記ステップは、
前記第１の端末により前記エアインターフェース時間ユニット及び前記時間ユニットスケジューリング情報に従い、前記エアインターフェース時間ユニットに対応する前記少なくとも１つのサイドリンク時間ユニットを決定するステップと、
前記第１の端末により、前記サイドリンク時間ユニットとして、前記エアインターフェース時間ユニットに対応する前記少なくとも１つのサイドリンク時間ユニットのうち前記時間ユニット指示情報により示される前記少なくとも１つのサイドリンク時間ユニットを使用するステップと、
を含む、請求項１６に記載の方法。
【請求項２２】
前記時間ユニットスケジューリング対応関係情報は、システムに予め定義され、あるいは前記ネットワーク側デバイスにより構成される、請求項２１に記載の方法。
【請求項２３】
前記時間ユニット指示情報は、前記時間ユニット指示情報が受信された前記エアインターフェース時間ユニットの後の第Ｋのエアインターフェース時間ユニットに対応するサイドリンク時間ユニットを示すために使用され、Ｋは正の整数であり、
前記第１の端末により、前記エアインターフェース時間ユニット及び前記時間ユニット指示情報に従い前記サイドリンク時間ユニットを決定する前記ステップは、
前記第１の端末により、前記通信データを送出するための前記サイドリンク時間ユニットとして、前記エアインターフェース時間ユニットの後の前記第Ｋのエアインターフェース時間ユニットに対応する前記サイドリンク時間ユニットを使用するステップ
を含む、請求項１６に記載の方法。
【請求項２４】
ネットワーク側デバイスにより、時間ユニット指示情報を決定するステップと、
前記ネットワーク側デバイスにより、エアインターフェース時間ユニットにおいて前記時間ユニット指示情報を第１の端末に送出するステップと、
を含み、
前記時間ユニット指示情報は、エアインターフェース時間ユニットとサイドリンク時間ユニットとの間の対応関係を示すために使用され、前記第１の端末は、前記エアインターフェース時間ユニット及び前記時間ユニット指示情報に従い前記サイドリンク時間ユニットを決定する、通信方法。
【請求項２５】
前記時間ユニット指示情報は、前記エアインターフェース時間ユニットの後の第Ｋのエアインターフェース時間ユニットに時間的に重なる２つのサイドリンク時間ユニットのうち１つを示すために使用され、Ｋは正の整数である、請求項２４に記載の方法。
【請求項２６】
前記時間ユニット指示情報は、下記の
前記２つのサイドリンク時間ユニットのうち系列番号が奇数である１つのサイドリンク時間ユニットを示す方式、
前記２つのサイドリンク時間ユニットのうち系列番号が偶数である１つのサイドリンク時間ユニットを示す方式、
前記２つのサイドリンク時間ユニットのうち時間がより早い１つのサイドリンク時間ユニットを示す方式、又は、
前記２つのサイドリンク時間ユニットのうち時間がより遅い１つのサイドリンク時間ユニットを示す方式
のうちいずれか１つにおいて前記２つのサイドリンク時間ユニットのうち１つを示す、請求項２５に記載の方法。
【請求項２７】
Ｋは、予め定義された固定値であり、あるいは前記ネットワーク側デバイスにより送出された値である、請求項２５又は２６に記載の方法。
【請求項２８】
前記時間ユニット指示情報は、サイドリンク上のフレーム内の時間ユニット系列番号を示すために使用される、請求項２４に記載の方法。
【請求項２９】
前記時間ユニット指示情報は、時間ユニットスケジューリング対応関係情報により示される少なくとも１つのサイドリンク時間ユニットのうち少なくとも１つを示すために使用され、前記時間ユニットスケジューリング対応関係情報は、前記エアインターフェース時間ユニットに対応する少なくとも１つのサイドリンク時間ユニットを示すために使用される、請求項２４に記載の方法。
【請求項３０】
前記時間ユニットスケジューリング対応関係情報は、システムに予め定義され、あるいは前記ネットワーク側デバイスにより構成される、請求項２９に記載の方法。
【請求項３１】
前記時間ユニット指示情報は、前記時間ユニット指示情報が受信された前記エアインターフェース時間ユニットの後の第Ｋのエアインターフェース時間ユニットに対応するサイドリンク時間ユニットを示すために使用され、Ｋは正の整数である、請求項２４に記載の方法。
【請求項３２】
送出端末に適用される通信装置であって、
リソース周期パラメータを取得するように構成された受信ユニットであり、前記リソース周期パラメータは、ネットワーク側デバイスにより送出され、あるいは前記送出端末により予め構成され、少なくとも１つのリソースがあり、前記リソース周期パラメータは、前記少なくとも１つのリソースの各々の周期継続時間を含む、受信ユニットと、
リソース周期の開始時間ユニットを決定するように構成された処理ユニットと、
前記処理ユニットにより決定された前記リソース周期の前記開始時間ユニットと前記受信ユニットにより受信された前記リソース周期パラメータとに従い通信データを送出するように構成された送出ユニットと、
を含む通信装置。
【請求項３３】
前記送出端末は、前記ネットワーク側デバイスにより割り振られた時間ドメインリソースを使用することにより前記通信データを送出し、
前記処理ユニットは、下記の
前記リソース周期の前記開始時間ユニットとして、スケジューリング情報が受信されたサブフレームに対応するサイドリンクサブフレームの後の第Ｋのサイドリンクサブフレームを使用する方式、又は
前記リソース周期の前記開始時間ユニットとして、スケジューリング情報が受信されたサブフレームの後の第Ｋの時間ユニットに対応するサイドリンクサブフレームを使用する方式
において前記リソース周期の前記開始時間ユニットを具体的に決定し、
Ｋは非負の整数であり、前記スケジューリング情報は前記ネットワーク側デバイスにより送出される、
請求項３２に記載の通信装置。
【請求項３４】
前記送出端末は、前記ネットワーク側デバイスにより割り振られた時間ドメインリソースを使用することにより前記通信データを送出し、
前記処理ユニットは、下記の
前記リソース周期の前記開始時間ユニットとして、スケジューリング情報により示された時間ユニットを使用し、前記スケジューリング情報は前記ネットワーク側デバイスにより送出される方式
において前記リソース周期の前記開始時間ユニットを具体的に決定する、
請求項３２に記載の通信装置。
【請求項３５】
前記受信ユニットは、
前記処理ユニットが前記リソース周期の前記開始時間ユニットを決定する前、システムフレーム番号ＳＦＮと直接フレーム番号ＤＦＮとの間のオフセットを取得する
ようにさらに構成される、請求項３４に記載の通信装置。
【請求項３６】
前記送出端末は、自律的に選択された時間ドメインリソースを使用することにより前記通信データを送出し、
前記処理ユニットは、下記の
前記リソース周期の前記開始時間ユニットとして、より高いレイヤでトランスポートブロックを送出するための開始サブフレームを使用する方式
において前記リソース周期の前記開始時間ユニットを具体的に決定する、
請求項３２に記載の通信装置。
【請求項３７】
前記送出ユニットは、周期パラメータ調整命令情報を前記ネットワーク側デバイスに送出するようにさらに構成され、
前記受信ユニットは、調整の後に前記ネットワーク側デバイスにより取得されたリソース周期パラメータを取得するようにさらに構成される、
請求項３２乃至３６のうちいずれか１項に記載の通信装置。
【請求項３８】
前記送出ユニットは、送信系列番号指示情報及び時間ドメイン送信リソース指示情報を、前記送出端末との直接通信を実行する受信端末に送出するようにさらに構成され、
前記送信系列番号指示情報は、前記リソース周期における前記送出される通信データの送信系列番号を示すために使用され、
前記時間ドメイン送信リソース指示情報は、前記リソース周期の前記開始時間ユニットに対して相対的であり、かつ前記リソース周期に前記通信データを送出するために毎回占有される、時間ドメインリソース位置を示すために使用される、
請求項３２乃至３７のうちいずれか１項に記載の通信装置。
【請求項３９】
前記送出ユニットは、周期開始点指示情報及び時間ドメイン送信リソース指示情報を、前記送出端末との直接通信を実行する受信端末に送出するようにさらに構成され、
前記周期開始点指示情報は、前記リソース周期の前記開始時間ユニットを示すために使用され、
前記時間ドメイン送信リソース指示情報は、前記リソース周期の前記開始時間ユニットに対して相対的であり、かつ前記リソース周期に前記通信データを送出するために毎回占有される、時間ドメインリソース位置を示すために使用される、
請求項３２乃至３７のうちいずれか１項に記載の通信装置。
【請求項４０】
前記受信ユニットは、下記の
前記送出端末の優先順位に従い前記ネットワーク側デバイスから、前記優先順位に対応するリソース周期パラメータを取得する方式、又は
前記送出される通信データのタイプに従い前記ネットワーク側デバイスから、前記通信データタイプに対応するリソース周期パラメータを取得する方式
において前記ネットワーク側デバイスにより送出された前記リソース周期パラメータを取得するように具体的に構成される、請求項３２乃至３９のうちいずれか１項に記載の通信装置。
【請求項４１】
前記送出ユニットは、リソース周期指示情報を、前記送出端末との直接通信を実行する前記受信端末に送出するようにさらに構成され、前記リソース周期指示情報は、前記送出端末により使用される前記リソース周期を示すために使用される、請求項３２乃至４０のうちいずれか１項に記載の通信装置。
【請求項４２】
受信端末に適用される通信装置であって、
前記受信端末とのデバイス対デバイス通信を実行する送出端末により送出された送信系列番号指示情報及び時間ドメイン送信リソース指示情報を取得するように構成された受信ユニットであり、前記送信系列番号指示情報は、前記リソース周期における送出される通信データの送信系列番号を示すために使用され、前記時間ドメイン送信リソース指示情報は、前記リソース周期の開始時間ユニットに対して相対的であり、かつ前記リソース周期に前記通信データを送出するために毎回占有される、時間ドメインリソース位置を示すために使用される、受信ユニットと、
前記受信ユニットにより取得された前記送信系列番号指示情報及び前記時間ドメイン送信リソース指示情報に従い、時間ドメイン送信において前記リソース周期に前記送出端末が毎回送出する前記通信データの前記時間ドメインリソース位置を決定するように構成された処理ユニットと、
を含む通信装置。
【請求項４３】
受信端末に適用される通信装置であって、
前記受信端末とのデバイス対デバイス通信を実行する送出端末により送出された周期開始点指示情報及び時間ドメイン送信リソース指示情報を取得するように構成された受信ユニットであり、前記周期開始点指示情報は、前記リソース周期の開始時間ユニットを示すために使用され、前記時間ドメイン送信リソース指示情報は、前記リソース周期の前記開始時間ユニットに対して相対的であり、かつ前記リソース周期に通信データを送出するために毎回占有される、時間ドメインリソース位置を示すために使用される、受信ユニットと、
前記受信ユニットにより取得された前記送信系列番号指示情報及び前記時間ドメイン送信リソース指示情報に従い、時間ドメイン送信において前記リソース周期に前記送出端末が毎回送出する前記通信データの前記時間ドメインリソース位置を決定するように構成された処理ユニットと、
を含む通信装置。
【請求項４４】
ネットワーク側デバイスに適用される通信装置であって、
リソース周期パラメータを決定するように構成された処理ユニットと、
前記処理ユニットにより決定された前記リソース周期パラメータを送出するように構成された送出ユニットと、
を含む通信装置。
【請求項４５】
前記送出ユニットは、スケジューリング情報を送出するようにさらに構成され、前記スケジューリング情報はリソース周期の開始時間ユニットを含む、請求項４４に記載の通信装置。
【請求項４６】
当該通信装置は、受信ユニットをさらに含み、
前記受信ユニットは、第１の端末により送出された周期パラメータ調整命令情報を受信するようにさらに構成され、
前記処理ユニットは、前記受信ユニットにより受信された前記周期パラメータ調整命令情報に従い前記リソース周期パラメータを調整するようにさらに構成され、
前記送出ユニットは、調整の後に取得されたリソース周期パラメータを送出するようにさらに構成される、請求項４４又は４５に記載の通信装置。
【請求項４７】
送出端末に適用される通信装置であって、
エアインターフェース時間ユニットにおいてネットワーク側デバイスから時間ユニット指示情報を受信するように構成された受信ユニットであり、前記時間ユニット指示情報は、エアインターフェース時間ユニットとサイドリンク時間ユニットとの間の対応関係を示すために使用される、受信ユニットと、
前記受信ユニットにより受信された前記エアインターフェース時間ユニット及び前記時間ユニット指示情報に従い前記サイドリンク時間ユニットを決定するように構成された処理ユニットと、
前記処理ユニットにより決定された前記サイドリンク時間ユニットにおいて通信データを送出するように構成された送出ユニットと、
を含む通信装置。
【請求項４８】
前記時間ユニット指示情報は、前記エアインターフェース時間ユニットの後の第Ｋのエアインターフェース時間ユニットに時間的に重なる２つのサイドリンク時間ユニットのうち１つを示すために使用され、Ｋは正の整数であり、
前記処理ユニットは、下記の
前記時間ユニット指示情報に従い、前記サイドリンク時間ユニットとして、前記エアインターフェース時間ユニットの後の前記第Ｋのエアインターフェース時間ユニットに時間的に重なる前記２つのサイドリンク時間ユニットの中の１つのサイドリンク時間ユニットを決定する方式
において前記エアインターフェース時間ユニット及び前記時間ユニット指示情報に従い前記サイドリンク時間ユニットを決定する、
請求項４７に記載の装置。
【請求項４９】
前記時間ユニット指示情報は、下記の
前記２つのサイドリンク時間ユニットのうち系列番号が奇数である１つのサイドリンク時間ユニットを示す方式、
前記２つのサイドリンク時間ユニットのうち系列番号が偶数である１つのサイドリンク時間ユニットを示す方式、
前記２つのサイドリンク時間ユニットのうち時間がより早い１つのサイドリンク時間ユニットを示す方式、又は、
前記２つのサイドリンク時間ユニットのうち時間がより遅い１つのサイドリンク時間ユニットを示す方式
のうちいずれか１つにおいて前記２つのサイドリンク時間ユニットのうち１つを示す、請求項４８に記載の装置。
【請求項５０】
Ｋは、予め定義された固定値であり、あるいは前記ネットワーク側デバイスにより送出された値である、請求項４８又は４９に記載の装置。
【請求項５１】
前記時間ユニット指示情報は、サイドリンク上のフレーム内の時間ユニット系列番号を示すために使用され、
前記処理ユニットは、下記の
前記サイドリンク時間ユニットとして、前記サイドリンク上の前記時間ユニット系列番号に対応するサイドリンク時間ユニットを使用する方式
において前記エアインターフェース時間ユニット及び前記時間ユニット指示情報に従い前記サイドリンク時間ユニットを決定し、
前記時間ユニット系列番号に対応する前記サイドリンク時間ユニットの時間は、前記エアインターフェース時間ユニットの時間よりもより遅い、
請求項４７に記載の装置。
【請求項５２】
前記時間ユニット指示情報は、時間ユニットスケジューリング対応関係情報により示される少なくとも１つのサイドリンク時間ユニットのうち少なくとも１つを示すために使用され、前記時間ユニットスケジューリング対応関係情報は、前記エアインターフェース時間ユニットに対応する少なくとも１つのサイドリンク時間ユニットを示すために使用され、
前記処理ユニットは、下記の
前記エアインターフェース時間ユニット及び前記時間ユニットスケジューリング情報に従い、前記エアインターフェース時間ユニットに対応する前記少なくとも１つのサイドリンク時間ユニットを決定し、
前記サイドリンク時間ユニットとして、前記エアインターフェース時間ユニットに対応する前記少なくとも１つのサイドリンク時間ユニットのうち前記時間ユニット指示情報により示される前記少なくとも１つのサイドリンク時間ユニットを使用する方式
において前記エアインターフェース時間ユニット及び前記時間ユニット指示情報に従い前記サイドリンク時間ユニットを決定する、
請求項４７に記載の装置。
【請求項５３】
前記時間ユニットスケジューリング対応関係情報は、システムに予め定義され、あるいは前記ネットワーク側デバイスにより構成される、請求項５２に記載の装置。
【請求項５４】
前記時間ユニット指示情報は、前記時間ユニット指示情報が受信された前記エアインターフェース時間ユニットの後の第Ｋのエアインターフェース時間ユニットに対応するサイドリンク時間ユニットを示すために使用され、Ｋは正の整数であり、
前記処理ユニットは、下記の
前記通信データを送出するための前記サイドリンク時間ユニットとして、前記エアインターフェース時間ユニットの後の前記第Ｋのエアインターフェース時間ユニットに対応する前記サイドリンク時間ユニットを使用する方式
において前記エアインターフェース時間ユニット及び前記時間ユニット指示情報に従い前記サイドリンク時間ユニットを決定する、
請求項４７に記載の装置。
【請求項５５】
ネットワーク側デバイスに適用される通信装置であって、
時間ユニット指示情報を決定するように構成された処理ユニットと、
エアインターフェース時間ユニットにおいて、前記処理ユニットにより決定された前記時間ユニット指示情報を送出端末に送出するように構成された送出ユニットと、を含み、
前記時間ユニット指示情報は、エアインターフェース時間ユニットとサイドリンク時間ユニットとの間の対応関係を示すために使用され、前記送出端末は、前記エアインターフェース時間ユニット及び前記時間ユニット指示情報に従い前記サイドリンク時間ユニットを決定する、通信装置。
【請求項５６】
前記時間ユニット指示情報は、前記エアインターフェース時間ユニットの後の第Ｋのエアインターフェース時間ユニットに時間的に重なる２つのサイドリンク時間ユニットのうち１つを示すために使用され、Ｋは正の整数である、請求項５５に記載の装置。
【請求項５７】
前記時間ユニット指示情報は、下記の
前記２つのサイドリンク時間ユニットのうち系列番号が奇数である１つのサイドリンク時間ユニットを示す方式、
前記２つのサイドリンク時間ユニットのうち系列番号が偶数である１つのサイドリンク時間ユニットを示す方式、
前記２つのサイドリンク時間ユニットのうち時間がより早い１つのサイドリンク時間ユニットを示す方式、又は、
前記２つのサイドリンク時間ユニットのうち時間がより遅い１つのサイドリンク時間ユニットを示す方式
のうちいずれか１つにおいて前記２つのサイドリンク時間ユニットのうち１つを示す、請求項５６に記載の装置。
【請求項５８】
Ｋは、予め定義された固定値であり、あるいは前記ネットワーク側デバイスにより送出された値である、請求項５６又は５７に記載の装置。
【請求項５９】
前記時間ユニット指示情報は、サイドリンク上のフレーム内の時間ユニット系列番号を示すために使用される、請求項５５に記載の装置。
【請求項６０】
前記時間ユニット指示情報は、時間ユニットスケジューリング対応関係情報により示される少なくとも１つのサイドリンク時間ユニットのうち少なくとも１つを示すために使用され、前記時間ユニットスケジューリング対応関係情報は、前記エアインターフェース時間ユニットに対応する少なくとも１つのサイドリンク時間ユニットを示すために使用される、請求項５５に記載の装置。
【請求項６１】
前記時間ユニットスケジューリング対応関係情報は、システムに予め定義され、あるいは前記ネットワーク側デバイスにより構成される、請求項６０に記載の装置。
【請求項６２】
前記時間ユニット指示情報は、前記時間ユニット指示情報が受信された前記エアインターフェース時間ユニットの後の第Ｋのエアインターフェース時間ユニットに対応するサイドリンク時間ユニットを示すために使用され、Ｋは正の整数である、請求項５５に記載の装置。
【発明の詳細な説明】
【技術分野】
【０００１】
この出願は、2016年1月27日に申請され「COMMUNICATION  METHOD  AND  COMMUNICATIONS  APPARATUS」と題された特許出願第PCT/CN2016/072410号に対する優先権を主張し、該出願は、その全体をここで参照により援用される。
【０００２】
本発明は通信技術の分野に関し、詳細には通信方法及び通信装置に関する。
【背景技術】
【０００３】
通信技術の発達により、端末対端末（Device  to  Device、Ｄ２Ｄ）通信又は車両対車両（Vehicle  to  Vehicle、Ｖ２Ｖ）通信がデバイス間で実行できる。
【０００４】
デバイス対デバイス通信技術において、ネットワーク側デバイス（例えば、基地局）は、デバイス対デバイス通信を実行することにおいて端末を支援するために、リソース構成、スケジューリング、協調などを実行することがある。一般に、ネットワーク側デバイスは、送信リソースプールをデバイス対デバイス通信端末に割り振り、それにより、端末は、デバイス対デバイス通信データ送信を実行する。リソースプールは、時間ドメインリソースセットと理解されてよく、送信に使用されるリソースプールと、受信に使用されるリソースプールとを含む。ネットワーク側デバイスは、ブロードキャストモードにおいて異なるリソースプール、例えば、スケジューリング割当（Scheduling  Assignment、ＳＡ）リソースプール及びデータ（data）リソースプールを構成し、各リソースプールは固定周期を有する。デバイス対デバイス通信端末は、２つのモードにおいて、ネットワーク側デバイスにより割り振られたリソースプール内の時間ドメインリソースを使用することがある。一方のモードにおいて、デバイス対デバイス通信端末は、あらゆるデバイス対デバイス通信端末のためにネットワーク側デバイスによりリソースプール内に割り振られ、決定される時間ドメインリソースを使用する。他方のモードにおいて、デバイス対デバイス通信端末は、自律的にリソースプールから時間ドメインリソースをランダムに選択する。デバイス対デバイス通信端末は、２つのモードのうち１つにおいてリソースプールから時間ドメインリソースを選択し、次いで、リソースプールの固定周期に従いデバイス対デバイス通信データ送信を実行する。
【０００５】
デバイス対デバイス通信端末が前述のモードでデバイス対デバイス通信データ送信を実行するとき、データパケット生成時間のランダム性が比較的高い。端末の数量が比較的大きいとき、従来のリソースプール割り振りモードは適切にサービスの特徴に適合できず、不十分な送信性能の場合が発生する。
【発明の概要】
【０００６】
本発明の実施例は、送信性能を改善するための通信方法及び通信装置を提供する。
【０００７】
第１の態様によれば、通信方法が提供される。第１の端末がリソース周期パラメータを取得し、第１の端末は送出端末と理解されてよく、リソース周期パラメータは、ネットワーク側デバイスにより送出され、あるいは第１の端末により予め構成され、リソースはリソースプールと理解されてよく、少なくとも１つのリソースがあり、リソース周期パラメータは、少なくとも１つのリソースの各々の周期継続時間を含み、周期継続時間は、占有されるサブフレームの数量と理解されてよい。第１の端末は、リソース周期の開始時間ユニットを決定し、周期の開始時間ユニットは、第１の端末が通信データを送出することを開始する周期の開始サブフレームと理解されてよく、第１の端末により後に送出されるデータパケットは、開始時間ユニット及びリソース周期パラメータに基づき周期的に送出される。
【０００８】
本発明のこの実施例において、第１の端末は、通信データを送出することを開始するためのリソース周期の開始時間ユニットを決定する。ゆえに、リソース周期の開始時間ユニットはランダムであり、より柔軟であり、端末のデータパケット生成時間のランダム性の特徴に適合でき、さらに、通信データ送信性能が改善でき、レイテンシが低減できる。
【０００９】
任意選択で、第１の端末は、第１の端末の優先順位に従いネットワーク側デバイスから、優先順位に対応するリソース周期パラメータを取得してよく、あるいは、第１の端末は、送出される通信データのタイプに従いネットワーク側デバイスから、通信データタイプに対応するリソース周期パラメータを取得し、それにより、異なる端末又は同じ端末が、異なる場合に異なるリソース周期を使用することができる。
【００１０】
可能な設計において、リソース周期の開始時間ユニットを決定するとき、第１の端末は、第１の端末の特定のモードに従い異なる決定方式を使用してよい。第１の端末は、２つのモードで通信データを送出してよい。一方のモードにおいて、第１の端末は、ネットワーク側デバイスにより第１の端末に割り振られた時間ドメインリソースを使用することにより通信データを送出する。他方のモードにおいて、端末は、通信データを送出するために時間ドメインリソースを自律的に選択する。
【００１１】
第１の端末は、ネットワーク側デバイスにより割り振られた時間ドメインリソースを使用することにより通信データを送出し、第１の端末は、下記の２つの方式においてリソース周期の開始時間ユニットを決定してよい。
【００１２】
方式１：第１の端末は、リソース周期の開始時間ユニットとして、スケジューリング情報が受信されたサブフレームに対応するサイドリンクサブフレームの後の第Ｋのサイドリンクサブフレームを使用し、あるいは、第１の端末は、リソース周期の開始時間ユニットとして、スケジューリング情報が受信されたサブフレームの後の第Ｋのサブフレームに対応するサイドリンクサブフレームを使用し、Ｋは、非負の整数であり、スケジューリング情報は、ネットワーク側デバイスにより送出される。
【００１３】
方式２：第１の端末は、リソース周期の開始時間ユニットとして、スケジューリング情報により示された時間ユニットを使用し、スケジューリング情報は、ネットワーク側デバイスにより送出される。
【００１４】
第１の端末は、実際の状況に従い、利用可能なリソースの周期の開始時間ユニットを決定するために前述の２つの方式のうち１つを選択してよい。可能な実現方式において、第１の端末が周期の開始時間ユニットを決定する前、ネットワーク側デバイスがシステムフレーム番号（System  Frame  Number、ＳＦＮ）と直接フレーム番号（Direct  Frame  Number、ＤＦＮ）との間のオフセットを取得することができる場合、オフセットが第１の端末により取得され、ネットワーク側に送出される場合、方式２が使用されてよく、ネットワーク側デバイスは、送出されるスケジューリング情報に、第１の端末に利用可能なリソースの周期の開始時間ユニットを示す。方式２を使用し、ネットワーク側デバイスは、リソース周期の開始時間ユニットを直接示す。これは、ファジーリソース構成問題を回避することができる。
【００１５】
第１の端末は、自律的に選択された時間ドメインリソースを使用することにより通信データを送出し、第１の端末は、下記の方式でリソース周期の開始時間ユニットを決定してよい。
【００１６】
第１の端末は、リソース周期の開始時間ユニットとして、より高いレイヤでトランスポートブロックを送出するための開始サブフレームを使用する。
【００１７】
別の可能な設計において、リソースのリソース周期パラメータ内の周期継続時間がさらに変更されてよい。例えば、第１の端末は、周期パラメータ調整命令情報を送出する。ネットワーク側デバイスは、第１の端末により送出された周期パラメータ調整命令情報を受信し、周期パラメータ調整命令情報に従いリソース周期パラメータを調整し、調整の後に取得されたリソース周期パラメータを送出する。第１の端末は、調整の後に取得されたリソース周期パラメータに従いデータを送出してよい。
【００１８】
さらに別の可能な設計において、第１の端末は、送信系列番号指示情報及び時間ドメイン送信リソース指示情報を第２の端末に送出し、あるいは、周期開始点指示情報及び時間ドメイン送信リソース指示情報を第２の端末に送出し、それにより、第２の端末は、使用されるリソース周期に第１の端末が毎回送信する通信データの時間ドメインリソース位置を取得する。
【００１９】
送信系列番号指示情報は、リソース周期における送出される通信データの送信系列番号を示すために使用され、周期開始点指示情報は、リソース周期の開始時間ユニットを示すために使用され、時間ドメイン送信リソース指示情報は、リソース周期の開始時間ユニットに対して相対的であり、かつリソース周期に通信データを送出するために毎回占有される、時間ドメインリソース位置を示すために使用される。
【００２０】
さらに別の可能な設計において、第１の端末は、リソース周期指示情報を第２の端末に送出し、第２の端末は、第１の端末により送出されたリソース周期指示情報を受信し、それにより、第２の端末は、第１の端末により示されたリソース周期に従い通信データを受信し、通信データにより占有された時間ドメインリソース位置を決定することができる。
【００２１】
第２の態様によれば、通信方法が提供される。この方法において、第２の端末が、第１の端末により送出された送信系列番号指示情報及び時間ドメイン送信リソース指示情報を取得し、あるいは第１の端末により送出された周期開始点指示情報及び時間ドメイン送信リソース指示情報を取得し、第２の端末は、送信系列番号指示情報及び時間ドメイン送信リソース指示情報に従い、時間ドメイン送信においてリソース周期に第１の端末が毎回送出する通信データの時間ドメインリソース位置を決定する。
【００２２】
第２の端末は受信端末と理解されてよく、第１の端末は送出端末と理解されてよい。送信系列番号指示情報は、リソース周期における送出される通信データの送信系列番号を示すために使用され、周期開始点指示情報は、リソース周期の開始時間ユニットを示すために使用され、時間ドメイン送信リソース指示情報は、リソース周期の開始時間ユニットに対して相対的であり、かつリソース周期に通信データを送出するために毎回占有される、時間ドメインリソース位置を示すために使用される。
【００２３】
第３の態様によれば、通信方法が提供される。この方法において、ネットワーク側デバイスがリソース周期パラメータを決定し、リソース周期パラメータは第１の態様における通信方法におけるリソース周期パラメータでよく、ネットワーク側デバイスはリソース周期パラメータを送出する。
【００２４】
可能な設計において、ネットワーク側デバイスはスケジューリング情報を送出し、スケジューリング情報はリソース周期の開始時間ユニットを含む。これは、ファジーリソース構成問題を回避することができる。
【００２５】
別の可能な設計において、ネットワーク側デバイスは、第１の端末により送出された周期パラメータ調整命令情報を受信し、周期パラメータ調整命令情報に従いリソース周期パラメータを調整し、調整の後に取得されたリソース周期パラメータを送出して、端末により使用されるリソース周期を調整する。
【００２６】
第４の態様によれば、通信方法が提供される。この方法において、ネットワーク側デバイスが時間ユニット指示情報を送出し、時間ユニット指示情報は、エアインターフェース時間ユニットとサイドリンク時間ユニットとの間の対応関係を示すために使用される。第１の端末が時間ユニット指示情報を受信し、時間ユニット指示情報に従いサイドリンク時間ユニットを決定する。ネットワーク側デバイスは、エアインターフェース時間ユニットにおいて時間ユニット指示情報を送出してよい。第１の端末は、エアインターフェース時間ユニットにおいて時間ユニット指示情報を受信し、エアインターフェース時間ユニット及び時間ユニット指示情報に従いサイドリンク時間ユニットを決定する。
【００２７】
前述の実現方式において、エアインターフェース時間ユニットに対応するサイドリンク時間ユニットは、エアインターフェース時間ユニットとサイドリンク時間ユニットとの間の対応関係に従い正確に決定されてよい。
【００２８】
可能な設計において、時間ユニット指示情報は、エアインターフェース時間ユニットの後の第Ｋのエアインターフェース時間ユニットに時間的に重なる２つのサイドリンク時間ユニットのうち１つを示し、Ｋは正の整数である。第１の端末は、時間ユニット指示情報に従い、サイドリンク時間ユニットとして、エアインターフェース時間ユニットの後の第Ｋのエアインターフェース時間ユニットに時間的に重なる２つのサイドリンク時間ユニットの中の１つのサイドリンク時間ユニットを決定する。
【００２９】
時間ユニット指示情報は、下記の：２つのサイドリンク時間ユニットのうち系列番号が奇数（又は、偶数）である１つのサイドリンク時間ユニットを示す方式、２つのサイドリンク時間ユニットのうち系列番号がより小さい（又は、より大きい）１つのサイドリンク時間ユニットを示す方式、２つのサイドリンク時間ユニットのうち時間がより早い（又は、より遅い）１つのサイドリンク時間ユニットを示す方式、又は、系列番号が奇数（又は、偶数）であるエアインターフェース時間ユニットに対応する２つのサイドリンク時間ユニットのうち系列番号が奇数（又は、偶数）である１つのサイドリンク時間ユニットを示す方式、のうちいずれか１つにおいてサイドリンク時間ユニットを示してよい。
【００３０】
別の可能な設計において、時間ユニット指示情報は、サイドリンク上のフレーム内の時間ユニット系列番号を示す。第１の端末は、サイドリンク時間ユニットとして、サイドリンク上の時間ユニット系列番号に対応するサイドリンク時間ユニットを使用する。時間ユニット系列番号に対応するサイドリンク時間ユニットの時間は、エアインターフェース時間ユニットの時間よりもより遅い。
【００３１】
サイドリンク上のフレーム内のすべての時間ユニットの系列番号が、フレーム内のすべての時間ユニットを示すために、時間ユニット指示情報を表すビットの値を使用することにより示されてよい。別法として、サイドリンク上のフレーム内のいくつかの時間ユニットの系列番号が、ビットを節約するために、時間ユニット指示情報を表すビットの値を使用することにより示されてよい。
【００３２】
さらに別の可能な設計において、エアインターフェース時間ユニット系列番号とサイドリンク時間ユニット系列番号との間の差が、時間ユニット指示情報を使用することにより示され、端末デバイスは、差に従いサイドリンク時間ユニットを決定する。
【００３３】
さらに別の可能な設計において、時間ユニット指示情報は、時間ユニットスケジューリング対応関係情報により示される少なくとも１つのサイドリンク時間ユニットのうち少なくとも１つを示す。時間ユニットスケジューリング対応関係情報は、エアインターフェース時間ユニットに対応する少なくとも１つのサイドリンク時間ユニットを示すために使用される。第１の端末は、エアインターフェース時間ユニット及び時間ユニットスケジューリング情報に従い、エアインターフェース時間ユニットに対応する少なくとも１つのサイドリンク時間ユニットを決定し、サイドリンク時間ユニットとして、エアインターフェース時間ユニットに対応する少なくとも１つのサイドリンク時間ユニットのうち時間ユニット指示情報により示される少なくとも１つのサイドリンク時間ユニットを使用する。
【００３４】
時間ユニットスケジューリング対応関係情報は、システムに予め定義され、あるいはネットワーク側デバイスにより構成されてよい。ネットワーク側デバイスにより構成されるとき、時間ユニットスケジューリング対応関係情報は、システム情報又は専用ＲＲＣシグナリングのうち少なくとも１つを使用することにより送信されてよい。
【００３５】
さらに別の可能な設計において、時間ユニット指示情報は、時間ユニット指示情報が受信されたエアインターフェース時間ユニットの後の第Ｋのエアインターフェース時間ユニットに対応するサイドリンク時間ユニットを示すために使用され、Ｋは正の整数である。第１の端末は、通信データを送出するためのサイドリンク時間ユニットとして、エアインターフェース時間ユニットの後の第Ｋのエアインターフェース時間ユニットに対応するサイドリンク時間ユニットを使用する。
【００３６】
さらに別の可能な設計において、ネットワーク側デバイスがサイドリンク上のリソースをより良くスケジュールすることを可能にするために、第１の端末は、エアインターフェース時間ユニットとサイドリンク時間ユニットとの間の相対関係を報告してよく、ネットワーク側デバイスは、第１の端末により報告されるエアインターフェース時間ユニットとサイドリンク時間ユニットとの間の相対関係に従い、時間ユニット指示情報により示されるエアインターフェース時間ユニットとサイドリンク時間ユニットとの間の対応関係を決定してよい。
【００３７】
さらに別の可能な設計において、エアインターフェース時間ユニットとサイドリンク時間ユニットとの間の対応関係を示すために使用される暗黙的なルールが、ネットワーク側デバイスと第１の端末との間に予め構成されてよい。ネットワーク側デバイス及び第１の端末が、エアインターフェース上でネットワーク側デバイスがスケジューリング情報を送出した第ｎの時間ユニットの後の第Ｋの時間ユニットを決定するとき、エアインターフェース上でネットワーク側デバイスがスケジューリング情報を送出した第ｎの時間ユニットの後の第Ｋの時間ユニットに対応するサイドリンク時間ユニットが、予め構成された暗黙的なルールに従い決定されてよい。第１の端末は、暗黙的なルールに従い、エアインターフェース上の第ｎの時間ユニットの後の第Ｋの時間ユニットに対応する特定のサイドリンク時間ユニットを決定し、リソース周期の開始時間ユニットとして、決定されたサイドリンク時間ユニットを使用する。
【００３８】
第５の態様によれば、通信装置が提供される。通信装置は送出端末に適用され、前述の方法設計における第１の端末を実現する機能を有する。機能は、ハードウェアにより実現されてよく、あるいはハードウェアにより実行される対応するソフトウェアにより実現されてよい。ハードウェア又はソフトウェアは、前述の機能に対応する１つ以上のモジュールを含む。モジュールは、ソフトウェア及び／又はハードウェアであり得る。例えば、通信装置は、受信ユニット、処理ユニット、及び送出ユニットを含む。受信ユニットは、リソース周期パラメータを取得するように構成され、リソース周期パラメータは、ネットワーク側デバイスにより送出され、あるいは送出端末により予め構成され、少なくとも１つのリソースがあり、リソース周期パラメータは、少なくとも１つのリソースの各々の周期継続時間を含む。処理ユニットは、リソース周期の開始時間ユニットを決定するように構成される。送出ユニットは、処理ユニットにより決定されたリソース周期の開始時間ユニットと受信ユニットにより受信されたリソース周期パラメータとに従い通信データを送出するように構成される。
【００３９】
通信装置は、通信データを送出することを開始するためのリソース周期の開始時間ユニットを決定する。ゆえに、リソース周期の開始時間ユニットはランダムであり、より柔軟であり、端末のデータパケット生成時間のランダム性の特徴に適合でき、さらに、通信データ送信性能が改善でき、レイテンシが低減できる。
【００４０】
任意選択で、受信ユニットは、送出端末の優先順位に従いネットワーク側デバイスから、優先順位に対応するリソース周期パラメータを取得し、あるいは、受信ユニットは、送出される通信データのタイプに従いネットワーク側デバイスから、通信データタイプに対応するリソース周期パラメータを取得し、それにより、異なる端末又は同じ端末が、異なる場合に異なるリソース周期を使用することができる。
【００４１】
任意選択で、送出端末は、ネットワーク側デバイスにより割り振られた時間ドメインリソースを使用することにより通信データを送出し、処理ユニットは、下記の方式でリソース周期の開始時間ユニットを決定してよい。
【００４２】
方式１：リソース周期の開始時間ユニットとして、スケジューリング情報が受信されたサブフレームに対応するサイドリンクサブフレームの後の第Ｋのサイドリンクサブフレームを使用し、あるいは、リソース周期の開始時間ユニットとして、スケジューリング情報が受信されたサブフレームの後の第Ｋのサブフレームに対応するサイドリンクサブフレームを使用し、Ｋは、非負の整数であり、スケジューリング情報は、ネットワーク側デバイスにより送出される。
【００４３】
方式２：リソース周期の開始時間ユニットとして、スケジューリング情報により示された時間ユニットを使用し、スケジューリング情報は、ネットワーク側デバイスにより送出される。
【００４４】
処理ユニットが、方式２においてリソース周期の開始時間ユニットを決定するとき、受信ユニットは、処理ユニットがリソース周期の開始時間ユニットを決定する前、システムフレーム番号（System  Frame  Number、ＳＦＮ）と直接フレーム番号（Direct  Frame  Number、ＤＦＮ）との間のオフセットを取得するようにさらに構成される。
【００４５】
方式２を使用し、ネットワーク側デバイスは、リソース周期の開始時間ユニットを直接示す。これは、ファジーリソース構成問題を回避することができる。
【００４６】
任意選択で、送出端末は、自律的に選択された時間ドメインリソースを使用することにより通信データを送出し、処理ユニットは、下記の：リソース周期の開始時間ユニットとして、より高いレイヤでトランスポートブロックを送出するための開始サブフレームを使用する方式、においてリソース周期の開始時間ユニットを具体的に決定する。
【００４７】
可能な設計において、送出ユニットは、周期パラメータ調整命令情報をネットワーク側デバイスに送出するようにさらに構成され、受信ユニットは、調整の後にネットワーク側デバイスにより取得されたリソース周期パラメータを取得するようにさらに構成される。
【００４８】
別の可能な設計において、送出ユニットは、送信系列番号指示情報及び時間ドメイン送信リソース指示情報を、送出端末との直接通信を実行する受信端末に送出し、あるいは、周期開始点指示情報及び時間ドメイン送信リソース指示情報を、送出端末との直接通信を実行する受信端末に送出するようにさらに構成され、それにより、受信端末は、使用されるリソース周期に送出端末が毎回送信する通信データの時間ドメインリソース位置を取得する。
【００４９】
送信系列番号指示情報は、リソース周期における送出される通信データの送信系列番号を示すために使用され、周期開始点指示情報は、リソース周期の開始時間ユニットを示すために使用され、時間ドメイン送信リソース指示情報は、リソース周期の開始時間ユニットに対して相対的であり、かつリソース周期に通信データを送出するために毎回占有される、時間ドメインリソース位置を示すために使用される。
【００５０】
さらに別の可能な設計において、送出ユニットは、リソース周期指示情報を、送出端末との直接通信を実行する受信端末に送出するようにさらに構成され、リソース周期指示情報は、送出端末により使用されるリソース周期を示すために使用され、それにより、受信端末は、送出端末により示されたリソース周期に従い通信データを受信し、通信データにより占有された時間ドメインリソース位置を決定することができる。
【００５１】
任意選択で、通信装置における受信ユニットは受信機でよく、処理ユニットはコントローラ又はプロセッサでよく、送出ユニットは送信機でよい。
【００５２】
第６の態様によれば、通信装置が提供される。通信装置は受信端末に適用され、前述の方法設計における第２の端末を実現する機能を有する。機能は、ハードウェアにより実現されてよく、あるいはハードウェアにより実行される対応するソフトウェアにより実現されてよい。ハードウェア又はソフトウェアは、前述の機能に対応する１つ以上のモジュールを含む。モジュールは、ソフトウェア及び／又はハードウェアであり得る。例えば、通信装置は、受信ユニット及び処理ユニットを含む。受信ユニットは、受信端末とのデバイス対デバイス通信を実行する送出端末により送出された送信系列番号指示情報及び時間ドメイン送信リソース指示情報を取得するように構成され、あるいは、受信端末とのデバイス対デバイス通信を実行する送出端末により送出された周期開始点指示情報及び時間ドメイン送信リソース指示情報を取得するように構成される。送信系列番号指示情報は、リソース周期における送出される通信データの送信系列番号を示すために使用され、周期開始点指示情報は、リソース周期の開始時間ユニットを示すために使用され、時間ドメイン送信リソース指示情報は、リソース周期の開始時間ユニットに対して相対的であり、かつリソース周期に通信データを送出するために毎回占有される、時間ドメインリソース位置を示すために使用される。処理ユニットは、受信ユニットにより取得された送信系列番号指示情報及び時間ドメイン送信リソース指示情報に従い、時間ドメイン送信においてリソース周期に送出端末が毎回送出する通信データの時間ドメインリソース位置を決定するように構成される。
【００５３】
任意選択で、通信装置における受信ユニットは受信機でよく、処理ユニットはコントローラ又はプロセッサでよい。
【００５４】
第７の態様によれば、通信装置が提供される。通信装置はネットワーク側デバイスに適用され、前述の方法設計におけるネットワーク側デバイスを実現する機能を有する。機能は、ハードウェアにより実現されてよく、あるいはハードウェアにより実行される対応するソフトウェアにより実現されてよい。ハードウェア又はソフトウェアは、前述の機能に対応する１つ以上のモジュールを含む。モジュールは、ソフトウェア及び／又はハードウェアであり得る。例えば、通信装置は、処理ユニット及び送出ユニットを含む。処理ユニットは、リソース周期パラメータを決定するように構成される。送出ユニットは、処理ユニットにより決定されたリソース周期パラメータを送出するように構成される。
【００５５】
可能な設計において、送出ユニットは、スケジューリング情報を送出するようにさらに構成され、スケジューリング情報はリソース周期の開始時間ユニットを含む。これは、ファジーリソース構成問題を回避することができる。
【００５６】
別の可能な設計において、通信装置は受信ユニットをさらに含み、
受信ユニットは、端末により送出された周期パラメータ調整命令情報を受信するように構成され、処理ユニットは、受信ユニットにより受信された周期パラメータ調整命令情報に従いリソース周期パラメータを調整するようにさらに構成され、送出ユニットは、調整の後に取得されたリソース周期パラメータを送出して、端末により使用されるリソース周期を調整するようにさらに構成される。
【００５７】
任意選択で、通信装置における受信ユニットは受信機でよく、処理ユニットはコントローラ又はプロセッサでよく、送出ユニットは送信機でよい。
【００５８】
第８の態様によれば、通信装置が提供される。通信装置は、第４の態様における通信方法における第１の端末を実現する機能を有する。機能は、ハードウェアにより実現されてよく、あるいはハードウェアにより実行される対応するソフトウェアにより実現されてよい。ハードウェア又はソフトウェアは、前述の機能に対応する１つ以上のモジュールを含む。モジュールは、ソフトウェア及び／又はハードウェアであり得る。
【００５９】
通信装置は、デバイス対デバイス通信に適用される送出端末であり得る。
【００６０】
可能な設計において、通信装置は、受信ユニット、処理ユニット、及び送出ユニットを含む。受信ユニットは、エアインターフェース時間ユニットにおいてネットワーク側デバイスから時間ユニット指示情報を受信するように構成され、時間ユニット指示情報は、エアインターフェース時間ユニットとサイドリンク時間ユニットとの間の対応関係を示すために使用される。処理ユニットは、受信ユニットにより受信されたエアインターフェース時間ユニット及びサイドリンク時間ユニットに従いサイドリンク時間ユニットを決定するように構成される。送出ユニットは、処理ユニットにより決定されたサイドリンク時間ユニットにおいて通信データを送出するように構成される。
【００６１】
任意選択で、時間ユニット指示情報は、エアインターフェース時間ユニットの後の第Ｋのエアインターフェース時間ユニットに時間的に重なる２つのサイドリンク時間ユニットのうち１つを示すために使用され、Ｋは正の整数である。処理ユニットは、時間ユニット指示情報に従い、サイドリンク時間ユニットとして、エアインターフェース時間ユニットの後の第Ｋのエアインターフェース時間ユニットに時間的に重なる２つのサイドリンク時間ユニットの中の１つのサイドリンク時間ユニットを決定する。
【００６２】
時間ユニット指示情報は、下記の：２つのサイドリンク時間ユニットのうち系列番号が奇数である１つのサイドリンク時間ユニットを示す方式、２つのサイドリンク時間ユニットのうち系列番号が偶数である１つのサイドリンク時間ユニットを示す方式、２つのサイドリンク時間ユニットのうち時間がより早い１つのサイドリンク時間ユニットを示す方式、又は、２つのサイドリンク時間ユニットのうち時間がより遅い１つのサイドリンク時間ユニットを示す方式、のうちいずれか１つにおいて２つのサイドリンク時間ユニットのうち１つを示す。
【００６３】
Ｋは予め定義された固定値であり、あるいはネットワーク側デバイスにより送出された値である。
【００６４】
任意選択で、時間ユニット指示情報は、サイドリンク上のフレーム内の時間ユニット系列番号を示すために使用され、
処理ユニットは、サイドリンク時間ユニットとして、サイドリンク上の時間ユニット系列番号に対応するサイドリンク時間ユニットを使用し、時間ユニット系列番号に対応するサイドリンク時間ユニットの時間は、エアインターフェース時間ユニットの時間よりもより遅い。
【００６５】
任意選択で、時間ユニット指示情報は、時間ユニットスケジューリング対応関係情報により示される少なくとも１つのサイドリンク時間ユニットのうち少なくとも１つを示すために使用され、時間ユニットスケジューリング対応関係情報は、エアインターフェース時間ユニットに対応する少なくとも１つのサイドリンク時間ユニットを示すために使用され、処理ユニットは、エアインターフェース時間ユニット及び時間ユニットスケジューリング情報に従い、エアインターフェース時間ユニットに対応する少なくとも１つのサイドリンク時間ユニットを決定し、サイドリンク時間ユニットとして、エアインターフェース時間ユニットに対応する少なくとも１つのサイドリンク時間ユニットのうち時間ユニット指示情報により示される少なくとも１つのサイドリンク時間ユニットを使用する。
【００６６】
時間ユニットスケジューリング対応関係情報は、システムに予め定義され、あるいはネットワーク側デバイスにより構成される。
【００６７】
任意選択で、時間ユニット指示情報は、時間ユニット指示情報が受信されたエアインターフェース時間ユニットの後の第Ｋのエアインターフェース時間ユニットに対応するサイドリンク時間ユニットを示すために使用され、Ｋは正の整数であり、
処理ユニットは、通信データを送出するためのサイドリンク時間ユニットとして、エアインターフェース時間ユニットの後の第Ｋのエアインターフェース時間ユニットに対応するエアインターフェース時間ユニットを使用する。
【００６８】
別の可能な設計において、通信装置に含まれる受信ユニットは受信機でよく、処理ユニットはプロセッサでよく、送出ユニットは送信機でよい。プロセッサは、第４の態様における通信方法における第１の端末の対応する機能を実行するように構成される。受信機は、エアインターフェース時間ユニットにおいて時間ユニット指示情報を受信するように構成され、送信機は、サイドリンク時間ユニットにおいて通信データを送出するように構成される。通信装置はメモリをさらに含んでよい。メモリはプロセッサに結合される。メモリは必要なプログラム命令及びデータを記憶する。
【００６９】
第９の態様によれば、通信装置が提供される。通信装置は、第４の態様における通信方法におけるネットワーク側デバイスを実現する機能を有する。機能は、ハードウェアにより実現されてよく、あるいはハードウェアにより実行される対応するソフトウェアにより実現されてよい。ハードウェア又はソフトウェアは、前述の機能に対応する１つ以上のモジュールを含む。モジュールは、ソフトウェア及び／又はハードウェアであり得る。
【００７０】
通信装置は、ネットワーク側デバイスであり得る。
【００７１】
可能な設計において、通信装置は、処理ユニット及び送出ユニットを含む。処理ユニットは、時間ユニット指示情報を決定するように構成される。送出ユニットは、エアインターフェース時間ユニットにおいて、処理ユニットにより決定された時間ユニット指示情報を送出端末に送出するように構成される。時間ユニット指示情報は、エアインターフェース時間ユニットとサイドリンク時間ユニットとの間の対応関係を示すために使用され、送出端末は、エアインターフェース時間ユニット及び時間ユニット指示情報に従いサイドリンク時間ユニットを決定する。
【００７２】
任意選択で、時間ユニット指示情報は、エアインターフェース時間ユニットの後の第Ｋのエアインターフェース時間ユニットに時間的に重なる２つのサイドリンク時間ユニットのうち１つを示すために使用され、Ｋは正の整数である。
【００７３】
任意選択で、時間ユニット指示情報は、下記の：２つのサイドリンク時間ユニットのうち系列番号が奇数である１つのサイドリンク時間ユニットを示す方式、２つのサイドリンク時間ユニットのうち系列番号が偶数である１つのサイドリンク時間ユニットを示す方式、２つのサイドリンク時間ユニットのうち時間がより早い１つのサイドリンク時間ユニットを示す方式、又は、２つのサイドリンク時間ユニットのうち時間がより遅い１つのサイドリンク時間ユニットを示す方式、のうちいずれか１つにおいて２つのサイドリンク時間ユニットのうち１つを示す。
【００７４】
Ｋは予め定義された固定値であり、あるいはネットワーク側デバイスにより送出された値である。
【００７５】
任意選択で、時間ユニット指示情報は、サイドリンク上のフレーム内の時間ユニット系列番号を示すために使用される。
【００７６】
任意選択で、時間ユニット指示情報は、時間ユニットスケジューリング対応関係情報により示される少なくとも１つのサイドリンク時間ユニットのうち少なくとも１つを示すために使用され、時間ユニットスケジューリング対応関係情報は、エアインターフェース時間ユニットに対応する少なくとも１つのサイドリンク時間ユニットを示すために使用される。
【００７７】
任意選択で、時間ユニットスケジューリング対応関係情報は、システムに予め定義され、あるいはネットワーク側デバイスにより構成される。
【００７８】
任意選択で、時間ユニット指示情報は、時間ユニット指示情報が受信されたエアインターフェース時間ユニットの後の第Ｋのエアインターフェース時間ユニットに対応するサイドリンク時間ユニットを示すために使用され、Ｋは正の整数である。
【００７９】
本発明のこの実施例において、ネットワーク側デバイスは、時間ユニット指示情報を第１の端末に送出することができ、時間ユニット指示情報は、エアインターフェース時間ユニットとサイドリンク時間ユニットとの間の対応関係を示すために使用され、すなわち、時間ユニット指示情報は、エアインターフェース時間ユニットに対応する特定のサイドリンク時間ユニットを示すために使用され、時間ユニット指示情報を受信した後、第１の端末は、時間ユニット指示情報に従い、エアインターフェース時間ユニットに対応する特定のサイドリンク時間ユニットを決定することができる。
【図面の簡単な説明】
【００８０】
【図１Ａ】本発明の実施例が適用可能である端末間の直接通信のシナリオの概略図である。
【図１Ｂ】本発明の実施例が適用可能である端末間の直接通信のシナリオの概略図である。
【図２Ａ】リソースプールの概略構造図である。
【図２Ｂ】リソースプールの概略構造図である。
【図２Ｃ】リソースプールの概略構造図である。
【図３】本発明の実施例による送出端末に適用される通信装置の概略構造図である。
【図４】本発明の実施例による送出端末に適用される通信装置の別の概略構造図である。
【図５】本発明の実施例による受信端末に適用される通信装置の概略構造図である。
【図６】本発明の実施例による受信端末に適用される通信装置の別の概略構造図である。
【図７】本発明の実施例によるネットワーク側デバイスに適用される通信装置の概略構造図である。
【図８Ａ】本発明の実施例によるネットワーク側デバイスに適用される通信装置の別の概略構造図である。
【図８Ｂ】本発明の実施例によるネットワーク側デバイスに適用される通信装置の別の概略構造図である。
【図９】本発明の実施例による送出端末に適用される通信装置の概略構造図である。
【図１０】本発明の実施例による送出端末に適用される通信装置の別の概略構造図である。
【図１１】本発明の実施例によるネットワークデバイスに適用される通信装置の概略構造図である。
【図１２】本発明の実施例によるネットワークデバイスに適用される通信装置の別の概略構造図である。
【図１３】本発明の実施例による通信方法の概略的な実現フローチャートである。
【図１４】本発明の実施例による通信方法の別の概略的な実現フローチャートである。
【図１５】本発明の実施例による第１の端末により利用可能なリソースの周期の開始時間ユニットを決定する概略フローチャートである。
【図１６】本発明の実施例による通信方法のさらに別の実現フローチャートである。
【図１７】本発明の実施例による通信データの時間ドメイン送信の概略図である。
【図１８Ａ】本発明の実施例による通信方法のさらに別の実現フローチャートである。
【図１８Ｂ】本発明の実施例による通信方法のさらに別の実現フローチャートである。
【図１９】本発明の実施例による、Ｕｕインターフェースサブフレームの境界がｓｉｄｅｌｉｎｋサブフレームの境界に整合されていない概略図である。
【図２０】本発明の実施例によるｓｉｄｅｌｉｎｋ時間ユニットを決定する実現フローチャートである。
【図２１】本発明の実施例による、サブフレームｎ＋ｋがフレーム境界をまたぐ概略図である。
【図２２】本発明の実施例によるＵｕインターフェース時間ユニット及びｓｉｄｅｌｉｎｋ時間ユニットを示す時間ユニット指示情報の概略図１である。
【図２３】本発明の実施例によるＵｕインターフェース時間ユニット及びｓｉｄｅｌｉｎｋ時間ユニットを示す時間ユニット指示情報の概略図２である。
【図２４】本発明の実施例によるＵｕインターフェース時間ユニット及びｓｉｄｅｌｉｎｋ時間ユニットの概略図３である。
【図２５】本発明の実施例によるＵｕインターフェース時間ユニット及びｓｉｄｅｌｉｎｋ時間ユニットを示す時間ユニット指示情報の概略図４である。
【図２６】本発明の実施例によるＵｕインターフェース時間ユニット及びｓｉｄｅｌｉｎｋ時間ユニットを示す時間ユニット指示情報の概略図５である。
【図２７】本発明の実施例によるｓｉｄｅｌｉｎｋ時間ユニットを決定する別の実現フローチャートである。
【発明を実施するための形態】
【００８１】
本発明の実施例における技術的解決策を、本発明の実施例における添付図面を参照して下記で詳細に説明する。
【００８２】
本発明の実施例により提供される通信方法は、２つのデバイス間の直接通信の通信シナリオ、例えば、図１Ａに示されるデバイス対デバイス（Device  to  Device、Ｄ２Ｄ）通信シナリオ、又は図１Ｂに示される車両対車両（Vehicle  to  Vehicle、Ｖ２Ｖ）通信シナリオ、又は車両対他ノード（Ｖ２Ｘ）通信シナリオに適用されてよい。本発明のこの実施例において、直接通信を実行するデバイスは、無線通信機能を有するハンドヘルドデバイス、車載デバイス、ウェアラブルデバイス、コンピューティングデバイス、又は無線モデムに接続された他の処理デバイス、及び様々な形式のユーザ機器（User  Equipment、ＵＥ）、移動局（Mobile  station、ＭＳ）、端末（terminal）、端末デバイス（Terminal  Equipment）などを含んでよい。説明の容易さのため、以降、直接通信を実行するデバイスはこの出願において端末と呼ばれる。
【００８３】
例えば、図１Ａ及び図１Ｂに示される通信シナリオにおいて、端末は、ネットワーク側デバイスを使用することなく直接通信を実行することができる。ネットワーク側デバイスは、直接通信を実行することにおいて端末を支援するために、リソース構成、スケジューリング、協調などを実行してよい。１つのモードにおいて、データを送信する前、端末は、ネットワーク側デバイスからの送信リソースを最初求め、端末の状態情報をネットワーク側デバイスに報告し、ネットワーク側デバイスは、端末により報告された情報に従い、対応する送信リソースを端末に割り振る。本発明のこの実施例におけるネットワーク側デバイスは、無線アクセスネットワークに展開される装置であり、端末のための無線通信機能を提供し、基地局（base  station、ＢＳ）であり得、例えば、様々な形式のマクロ基地局、マイクロ基地局、中継局、及びアクセスポイントを含んでよい。異なる無線アクセス技術を使用するシステムにおいて、基地局機能を有するデバイスの名前は変動し得る。例えば、デバイスは、ロングタームエボリューション（Long  Term  Evolution、ＬＴＥ）ネットワークにおいて進化型ノードＢ（evolved  NodeB、略してｅＮＢ、又はｅＮｏｄｅＢ）と呼ばれ、あるいは第３世代３ＧネットワークにおいてノードＢ（NodeB）と呼ばれる。別のモードにおいて、ネットワーク側デバイスは、通信を実行することにおいて端末を支援しない。この場合、端末は、情報を送出するために送信リソースを自律的に選択する。
【００８４】
ＬＴＥ‐Ｄ２Ｄ技術は、Ｒｅｌ．１２プロトコルを使用することにより第３世代パートナーシッププロジェクト（3rd  Generation  Partnership  Project、３ＧＰＰ）により新しく定義されたＬＴＥベースの端末間の直接通信のための技術である。車両のインターネット（ＬＴＥ‐Ｖ）の技術は、Ｄ２Ｄに基づき進化を通して得られ、あるいは端末対端末通信と理解され得る。ゆえに、説明の例としてＬＴＥ‐Ｄ２Ｄシステムを下記で使用する。ＬＴＥ‐Ｄ２Ｄ技術は、データ送信にブロードキャストモードを使用し、２つの特徴、すなわち、発見（discovery）及び通信（communication）を含む。Ｄｉｓｃｏｖｅｒｙは、端末が情報を周期的にブロードキャストすることを意味する。Ｃｏｍｍｕｎｉｃａｔｉｏｎは、２つの端末間の直接データ送信であり、スケジューリング割当（Scheduling  Assignment、ＳＡ）とデータ（Data）とを組み合わせるメカニズムを使用する。ＳＡは、送出端末により送出されるデータの状態情報を示すために使用され、データの時間ドメインリソース情報及び周波数ドメインリソース情報、変調及び符号化方式（Modulation  and  Coding  Scheme、ＭＣＳ）情報、周波数ホッピング指示、タイミングアドバンス情報、受信グループアイデンティティ（Identity、ＩＤ）などを含む。Ｔ‐ＲＰＴ（time  resource  pattern、時間リソースパターン）が、対応するデータ部分により占有される時間リソース、すなわち、データ部分が送信されるサブフレームを示す。受信端末は、ＳＡの指示に従いサービスデータを受信することができる。Ｄａｔａは、ＳＡにより示される時間ドメインリソース位置において、ＳＡにより示されるフォーマットを使用することにより送出端末により送出されたサービスデータである。
【００８５】
Ｄ２Ｄ通信システムにおいて、端末がセルのカバレッジ内である場合、ネットワーク側デバイスがリソースプールを端末に割り振り、リソースプールは、送信に使用されるリソースプールと受信に使用されるリソースプールとを含む時間・周波数リソースセットと理解され得る。ネットワーク側は、ブロードキャストモードにおいて異なるリソースプール例えば、ｄｉｓｃｏｖｅｒｙリソースプール、ＳＡリソースプール、及びｄａｔａリソースプールを構成する。リソースプールは、送信リソースプール及び受信リソースプールを含む。ネットワーク側デバイスは、送信リソースプール及び受信リソースプールに関する情報を構成し、ブロードキャストする。端末は、ネットワーク側デバイスによりブロードキャストされたリソースプールに関する情報に従い、対応するリソースプールにおいて信号を送信し、あるいはリッスンする。端末がセルのカバレッジを越えている場合、予め構成されたリソースプールが使用され得る。
【００８６】
図２Ａは、Ｄ２Ｄ通信システムにおけるリソースプールの概略構造図である。図２Ａから習得できるように、Ｄ２Ｄ通信システムにおいて、リソースプール構造は時分割多重（Time  Division  Multiplexing、ＴＤＭ）モードを使用する。
【００８７】
ＬＴＥ‐Ｄ２Ｄ技術において、ｃｏｍｍｕｎｉｃａｔｉｏｎメカニズムにおけるリソース割り振りは、周期のユニットで実行される。しかしながら、サイドリンク（sidelink）上で、シグナリングリンク制御情報フォーマット０（ＳＣＩ０）が、ｄａｔａ周期に使用されるリソースに関する情報を示すためにＳＡ周期において送出される。このモードにおいて、すべての端末が周期の開始位置と継続時間とを一貫して理解することが確保される必要がある。図２Ａに示されるリソースプール構造が使用される場合、ＳＡと対応するｄａｔａとが別個に送出されるため、全体性能が影響を受ける。ゆえに、ＬＴＥ‐Ｖ技術は、図２Ｂ及び図２Ｃに示されるリソースプール構造を使用し得る。図２Ｂ及び図２Ｃにおいて、ＳＡ及びｄａｔａは同じサブフレーム内で送信され、周波数分割多重（Frequency  Division  Multiplexing、ＦＤＭ）モードが使用される。このモードは全体性能を大きく改善する。
【００８８】
図２Ａ、図２Ｂ、及び図２Ｃに示されるリソースプール構造において、リソースプール周期の開始時間ユニットの構成は同じであり、すなわち、あらゆるリソースプールが固定の開始点を有する。直接通信プロセスにおいて、図２Ａ、図２Ｂ、及び図２Ｃに示されるいずれのリソースプール構造がデータ送信に使用されても、端末は、リソースプール周期の開始点を待った後のみデータ送信を実行することができる。しかしながら、現在の通信ネットワークにおける端末のデータパケット生成時間は変動し、比較的ランダムである。例えば、車両のインターネット（Internet  of  Vehicles）上の各車両のアプリケーションレイヤは、２タイプのデータパケットを送出し得る。一方のタイプは、指定された周期に連続的に送出される周期的データパケットであり、各車両により生成されるデータパケットは周期的であるが、各車両の特定パケット生成時間は独立している。他方のタイプは、イベントトリガ型（event-triggered）データパケットであり、主に、エマージェンシーイベントが発生した後に送出されるデータパケットである。ゆえに、端末のデータパケット生成時間がリソースプール周期の開始点でないことが相当にあり得る。端末の数量が比較的大きいとき、端末の各データパケットの送信は統一された周期に限定され、端末によるデータパケットの生成はランダム性を欠き、柔軟でなく、送信性能が影響を受ける。さらに、ある周期に到着するデータパケットは、次の周期が始まった後のみ送信されることができ、不要なレイテンシが引き起こされる。
【００８９】
本発明の実施例は、端末によりデータパケットを送信する方法を提供する。方法はより柔軟であり、送信性能を改善し、送信レイテンシをさらに低減することができる。
【００９０】
本発明の実施例により提供される通信方法及び通信装置を、本発明の特定の実施例を参照して下記で詳細に説明する。
【００９１】
本発明の実施例は通信装置を提供する。通信装置は送出端末に適用される。送出端末に適用される通信装置は、リソース周期の開始時間ユニットを決定し、リソース周期パラメータを取得し、リソース周期の開始時間ユニットとリソース周期パラメータとに従い通信データを送出することができる。
【００９２】
送出端末に適用される通信装置の機能は、ハードウェアにより実現されてよく、あるいはハードウェアにより実行される対応するソフトウェアにより実現されてよい。
【００９３】
図３は、本発明の実施例による送出端末に適用される通信装置１００の概略構造図である。図３に示されるように、送出端末に適用される通信装置１００は、送信機１０１、受信機１０２、コントローラ／プロセッサ１０３、及びメモリ１０４を含む。
【００９４】
メモリ１０４は、コントローラ／プロセッサ１０３により実行されるプログラムコードを記憶するように構成される。
【００９５】
コントローラ／プロセッサ１０３は、メモリ１０４に記憶されたプログラムコードを呼び出し、リソース周期の開始時間ユニットを決定し、受信機１０２を使用することによりリソース周期パラメータを取得することであって、リソース周期パラメータは、ネットワーク側デバイスにより送出され、あるいは送出端末により予め構成され、少なくとも１つのリソースがあり、リソース周期パラメータは、少なくとも１つのリソースの各々の周期継続時間を含み；送信機１０１を使用することにより、リソース周期の決定された開始時間ユニットと受信したリソース周期パラメータとに従い通信データを送出する；ように構成される。
【００９６】
受信機１０２は、リソース周期パラメータを取得するように構成される。
【００９７】
任意選択で、受信機１０２は、送出端末の優先順位に従いネットワーク側デバイスから、優先順位に対応するリソース周期パラメータを取得し、あるいは、受信機１０２は、送出される通信データのタイプに従いネットワーク側デバイスから、通信データタイプに対応するリソース周期パラメータを取得し、それにより、異なる端末又は同じ端末が、異なる場合に異なるリソース周期を使用することができる。
【００９８】
送信機１０１は、通信データを送出するように構成される。
【００９９】
本発明のこの実施例において、送出端末に適用される通信装置１００は、通信データを送出することを開始するためのリソース周期の開始時間ユニットを決定する。ゆえに、リソース周期の開始時間ユニットはランダムであり、より柔軟であり、端末のデータパケット生成時間のランダム性の特徴に適合でき、さらに、通信データ送信性能が改善でき、レイテンシが低減できる。
【０１００】
任意選択で、リソース周期の開始時間ユニットを決定するとき、コントローラ／プロセッサ１０３は、送出端末の特定のモードに従い異なる決定方式を使用してよい。送出端末は、２つのモードにおいて通信データを送出し得る。一方のモードにおいて、送出端末は、ネットワーク側デバイスにより送出端末に割り振られた時間ドメインリソースを使用することにより、通信データを送出する。他方のモードにおいて、端末は、通信データを送出するために時間ドメインリソースを自律的に選択する。
【０１０１】
送出端末は、通信データを送出するためにネットワーク側デバイスにより割り振られた時間ドメインリソースを使用し、コントローラ／プロセッサ１０３は、下記の２つの方式においてリソース周期の開始時間ユニットを決定してよい。
【０１０２】
方式１：リソース周期の開始時間ユニットとして、スケジューリング情報が受信されたサブフレームに対応するサイドリンクサブフレームの後の第Ｋのサイドリンクサブフレームを使用し、あるいは、リソース周期の開始時間ユニットとして、スケジューリング情報が受信されたサブフレームの後の第Ｋのサブフレームに対応するサイドリンクサブフレームを使用し、Ｋは、非負の整数であり、スケジューリング情報は、ネットワーク側デバイスにより送出される。
【０１０３】
方式２：リソース周期の開始時間ユニットとして、スケジューリング情報により示された時間ユニットを使用し、スケジューリング情報は、ネットワーク側デバイスにより送出される。
【０１０４】
コントローラ／プロセッサ１０３は、実際の状況に従い、利用可能なリソースの周期の開始時間ユニットを決定するために前述の２つの方式のうち１つを選択してよい。可能な実現方式において、コントローラ／プロセッサ１０３が周期の開始時間ユニットを決定する前、ネットワーク側デバイスがシステムフレーム番号（System  Frame  Number、ＳＦＮ）と直接フレーム番号（Direct  Frame  Number、ＤＦＮ）との間のオフセットを取得することができる場合、オフセットが送出端末により取得され、ネットワーク側に送出される場合、方式２が使用されてよく、ネットワーク側デバイスは、送出されるスケジューリング情報に、送出端末に利用可能なリソースの周期の開始時間ユニットを示す。方式２を使用し、ネットワーク側デバイスは、リソース周期の開始時間ユニットを直接示す。これは、ファジーリソース構成問題を回避することができる。
【０１０５】
送出端末は、自律的に選択された時間ドメインリソースを使用することにより通信データを送出し、コントローラ／プロセッサ１０３は、リソース周期の開始時間ユニットとして、より高いレイヤでトランスポートブロックを送出するための開始サブフレームを使用してよい。
【０１０６】
本発明のこの実施例において、送信機１０１は、周期パラメータ調整命令情報をネットワーク側デバイスに送出するようにさらに構成され、受信機１０２は、調整の後にネットワーク側デバイスにより取得されたリソース周期パラメータを取得するようにさらに構成される。
【０１０７】
送信機１０１は、送信系列番号指示情報及び時間ドメイン送信リソース指示情報を、送出端末との直接通信を実行する受信端末に送出し、あるいは、周期開始点指示情報及び時間ドメイン送信リソース指示情報を、送出端末との直接通信を実行する受信端末に送出するようにさらに構成され、それにより、受信端末は、使用されるリソース周期に送出端末が毎回送信する通信データの時間ドメインリソース位置を取得する。
【０１０８】
送信系列番号指示情報は、リソース周期における送出される通信データの送信系列番号を示すために使用され、周期開始点指示情報は、リソース周期の開始時間ユニットを示すために使用され、時間ドメイン送信リソース指示情報は、リソース周期の開始時間ユニットに対して相対的であり、かつリソース周期に通信データを送出するために毎回占有される、時間ドメインリソース位置を示すために使用される。
【０１０９】
任意選択で、送信機１０１は、リソース周期指示情報を、送出端末との直接通信を実行する受信端末に送出するようにさらに構成され、リソース周期指示情報は、送出端末により使用されるリソース周期を示すために使用され、それにより、受信端末は、送出端末により示されたリソース周期に従い通信データを受信し、通信データにより占有された時間ドメインリソース位置を決定することができる。
【０１１０】
本発明のこの実施例において送出端末に適用される通信装置において、対応する機能を実行するハードウェア又はソフトウェアは、機能に対応する１つ以上のモジュールを含む。モジュールは、ソフトウェア及び／又はハードウェアであり得る。
【０１１１】
図４は、本発明の実施例による送出端末に適用される通信装置１０００の概略構造図である。図４に示されるように、送出端末に適用される通信装置１０００は、受信ユニット１００１、処理ユニット１００２、及び送出ユニット１００３を含む。受信ユニット１００１は、リソース周期パラメータを取得するように構成され、リソース周期パラメータは、ネットワーク側デバイスにより送出され、あるいは送出端末により予め構成され、少なくとも１つのリソースがあり、リソース周期パラメータは、少なくとも１つのリソースの各々の周期継続時間を含む。処理ユニット１００２は、リソース周期の開始時間ユニットを決定するように構成される。送出ユニット１００３は、処理ユニット１００２により決定されたリソース周期の開始時間ユニットと受信ユニット１００１により受信されたリソース周期パラメータとに従い通信データを送出するように構成される。
【０１１２】
通信装置１０００は、通信データを送出することを開始するためのリソース周期の開始時間ユニットを決定する。ゆえに、リソース周期の開始時間ユニットはランダムであり、より柔軟であり、端末のデータパケット生成時間のランダム性の特徴に適合でき、さらに、通信データ送信性能が改善でき、レイテンシが低減できる。
【０１１３】
任意選択で、受信ユニット１００１は、送出端末の優先順位に従いネットワーク側デバイスから、優先順位に対応するリソース周期パラメータを取得し、あるいは、受信ユニット１００１は、送出される通信データのタイプに従いネットワーク側デバイスから、通信データタイプに対応するリソース周期パラメータを取得し、それにより、異なる端末又は同じ端末が、異なる場合に異なるリソース周期を使用することができる。
【０１１４】
任意選択で、送出端末は、ネットワーク側デバイスにより割り振られた時間ドメインリソースを使用することにより通信データを送出し、処理ユニット１００２は、下記の方式でリソース周期の開始時間ユニットを決定してよい。
【０１１５】
方式１：リソース周期の開始時間ユニットとして、スケジューリング情報が受信されたサブフレームに対応するサイドリンクサブフレームの後の第Ｋのサイドリンクサブフレームを使用し、あるいは、リソース周期の開始時間ユニットとして、スケジューリング情報が受信されたサブフレームの後の第Ｋのサブフレームに対応するサイドリンクサブフレームを使用し、Ｋは、非負の整数であり、スケジューリング情報は、ネットワーク側デバイスにより送出される。
【０１１６】
方式２：リソース周期の開始時間ユニットとして、スケジューリング情報により示された時間ユニットを使用し、スケジューリング情報は、ネットワーク側デバイスにより送出される。
【０１１７】
処理ユニット１００２が、方式２でリソース周期の開始時間ユニットを決定するとき、受信ユニット１００１は、処理ユニット１００２がリソース周期の開始時間ユニットを決定する前、システムフレーム番号（System  Frame  Number、ＳＦＮ）と直接フレーム番号（Direct  Frame  Number、ＤＦＮ）との間のオフセットを取得するようにさらに構成される。
【０１１８】
方式２を使用し、ネットワーク側デバイスは、リソース周期の開始時間ユニットを直接示す。これは、ファジーリソース構成問題を回避することができる。
【０１１９】
任意選択で、送出端末は、自律的に選択された時間ドメインリソースを使用することにより通信データを送出し、処理ユニット１００２は、下記の：リソース周期の開始時間ユニットとして、より高いレイヤでトランスポートブロックを送出するための開始サブフレームを使用する方式、においてリソース周期の開始時間ユニットを具体的に決定する。
【０１２０】
任意選択で、送出ユニット１００３は、周期パラメータ調整命令情報をネットワーク側デバイスに送出するようにさらに構成され、受信ユニット１００１は、調整の後にネットワーク側デバイスにより取得されたリソース周期パラメータを取得するようにさらに構成される。
【０１２１】
任意選択で、送出ユニット１００３は、送信系列番号指示情報及び時間ドメイン送信リソース指示情報を、送出端末との直接通信を実行する受信端末に送出し、あるいは、周期開始点指示情報及び時間ドメイン送信リソース指示情報を、送出端末との直接通信を実行する受信端末に送出するようにさらに構成され、それにより、受信端末は、使用されるリソース周期に送出端末が毎回送信する通信データの時間ドメインリソース位置を取得する。
【０１２２】
送信系列番号指示情報は、リソース周期における送出される通信データの送信系列番号を示すために使用され、周期開始点指示情報は、リソース周期の開始時間ユニットを示すために使用され、時間ドメイン送信リソース指示情報は、リソース周期の開始時間ユニットに対して相対的であり、かつリソース周期に通信データを送出するために毎回占有される、時間ドメインリソース位置を示すために使用される。
【０１２３】
任意選択で、送出ユニット１０３は、リソース周期指示情報を、送出端末との直接通信を実行する受信端末に送出するようにさらに構成され、リソース周期指示情報は、送出端末により使用されるリソース周期を示すために使用され、それにより、受信端末は、送出端末により示されたリソース周期に従い通信データを受信し、通信データにより占有された時間ドメインリソース位置を決定することができる。
【０１２４】
本発明の実施例は、受信端末に適用される通信装置をさらに提供する。受信端末に適用される通信装置は、受信端末とのデバイス対デバイス通信を実行する送出端末により送出された送信系列番号指示情報及び時間ドメイン送信リソース指示情報を取得し、あるいは、受信端末とのデバイス対デバイス通信を実行する送出端末により送出された周期開始点指示情報及び時間ドメイン送信リソース指示情報を取得するように構成され得る。
【０１２５】
受信端末に適用される通信装置の機能は、ハードウェアにより実現されてよく、あるいはハードウェアにより実行される対応するソフトウェアにより実現されてよい。
【０１２６】
図５は、本発明の実施例による受信端末に適用される通信装置２００の概略構造図である。通信装置２００は、受信機２０１、コントローラ／プロセッサ２０２、及びメモリ２０３を含む。
【０１２７】
メモリ２０３は、コントローラ／プロセッサ２０２により実行されるプログラムコードを記憶するように構成される。
【０１２８】
受信機２０１は、受信端末とのデバイス対デバイス通信を実行する送出端末により送出された送信系列番号指示情報及び時間ドメイン送信リソース指示情報を取得するように構成され、あるいは、受信端末とのデバイス対デバイス通信を実行する送出端末により送出された周期開始点指示情報及び時間ドメイン送信リソース指示情報を取得するように構成される。
【０１２９】
送信系列番号指示情報は、リソース周期における送出される通信データの送信系列番号を示すために使用され、周期開始点指示情報は、リソース周期の開始時間ユニットを示すために使用され、時間ドメイン送信リソース指示情報は、リソース周期の開始時間ユニットに対して相対的であり、かつリソース周期に通信データを送出するために毎回占有される、時間ドメインリソース位置を示すために使用される。
【０１３０】
コントローラ／プロセッサ２０２は、メモリ２０３に記憶されたプログラムを呼び出し、受信機２０１を使用することにより、受信端末とのデバイス対デバイス通信を実行する送出端末により送出された送信系列番号指示情報及び時間ドメイン送信リソース指示情報を取得するように構成され、あるいは、受信端末とのデバイス対デバイス通信を実行する送出端末により送出された周期開始点指示情報及び時間ドメイン送信リソース指示情報を取得し、取得された送信系列番号指示情報及び時間ドメイン送信リソース指示情報に従い、時間ドメイン送信においてリソース周期に送出端末が毎回送出する通信データの時間ドメインリソース位置を決定するように構成される。
【０１３１】
本発明のこの実施例において受信端末に適用される通信装置において、対応する機能を実行するハードウェア又はソフトウェアは、機能に対応する１つ以上のモジュールを含む。モジュールは、ソフトウェア及び／又はハードウェアであり得る。
【０１３２】
図６は、本発明の実施例による受信端末に適用される通信装置２０００の概略構造図である。図６に示されるように、通信装置２０００は、受信ユニット２００１及び処理ユニット２００２を含む。
【０１３３】
受信ユニット２００１は、受信端末とのデバイス対デバイス通信を実行する送出端末により送出された送信系列番号指示情報及び時間ドメイン送信リソース指示情報を取得するように構成され、あるいは、受信端末とのデバイス対デバイス通信を実行する送出端末により送出された周期開始点指示情報及び時間ドメイン送信リソース指示情報を取得するように構成される。送信系列番号指示情報は、リソース周期における送出される通信データの送信系列番号を示すために使用され、周期開始点指示情報は、リソース周期の開始時間ユニットを示すために使用され、時間ドメイン送信リソース指示情報は、リソース周期の開始時間ユニットに対して相対的であり、かつリソース周期に通信データを送出するために毎回占有される、時間ドメインリソース位置を示すために使用される。
【０１３４】
処理ユニット２００２は、受信ユニット２００１により取得された送信系列番号指示情報及び時間ドメイン送信リソース指示情報に従い、時間ドメイン送信においてリソース周期に送出端末が毎回送出する通信データの時間ドメインリソース位置を決定するように構成される。
【０１３５】
本発明の実施例が、ネットワーク側デバイスに適用される通信装置をさらに提供する。ネットワーク側デバイスに適用される通信装置は、リソース周期パラメータを決定し、決定されたリソース周期パラメータを送出することができる。
【０１３６】
ネットワーク側デバイスに適用される通信装置の機能は、ハードウェアにより実現されてよく、あるいはハードウェアにより実行される対応するソフトウェアにより実現されてよい。
【０１３７】
図７は、本発明の実施例によるネットワーク側デバイスに適用される通信装置３００の概略構造図である。図７に示されるように、通信装置３００は、送信機／受信機３０１、コントローラ／プロセッサ３０２、メモリ３０３、及び通信ユニット３０４を含む。本発明のこの実施例において、下記のとおりである。
【０１３８】
メモリ３０３は、コントローラ／プロセッサ３０２により実行されるプログラムコードを記憶するように構成される。
【０１３９】
コントローラ／プロセッサ３０２は、メモリ３０３に記憶されたプログラムを呼び出し、リソース周期パラメータを決定し、送信機／受信機３０１を使用することにより、決定されたリソース周期パラメータを送出するように構成される。
【０１４０】
送信機／受信機３０１は、決定されたリソース周期パラメータを送出するように構成される。
【０１４１】
通信ユニット３０４は、別のネットワークエンティティとの通信を実行することにおいてネットワーク側デバイスをサポートするように構成される。
【０１４２】
任意選択で、送信機／受信機３０１は、スケジューリング情報を送出するようにさらに構成され、スケジューリング情報は、リソース周期の開始時間ユニットを含む。これは、ファジーリソース構成問題を回避することができる。
【０１４３】
任意選択で、送信機／受信機３０１は、端末により送出された周期パラメータ調整命令情報を受信するようにさらに構成される。コントローラ／プロセッサ３０２は、受信した周期パラメータ調整命令情報に従いリソース周期パラメータを調整するようにさらに構成される。送信機／受信機３０１は、調整の後に取得されたリソース周期パラメータを送出して、端末により使用されるリソース周期を調整するようにさらに構成される。
【０１４４】
ネットワーク側デバイスに適用される通信装置において、対応する機能を実行するハードウェア又はソフトウェアは、機能に対応する１つ以上のモジュールを含む。モジュールは、ソフトウェア及び／又はハードウェアであり得る。
【０１４５】
図８Ａは、本発明の実施例によるネットワーク側デバイスに適用される通信装置３０００の概略構造図である。図８Ａに示されるように、通信装置３０００は、処理ユニット３００１及び送出ユニット３００２を含む。
【０１４６】
処理ユニット３００１は、リソース周期パラメータを決定するように構成される。
【０１４７】
送出ユニット３００２は、処理ユニットにより決定されたリソース周期パラメータを送出するように構成される。
【０１４８】
任意選択で、送出ユニット３００２は、スケジューリング情報を送出するようにさらに構成され、スケジューリング情報は、リソース周期の開始時間ユニットを含む。これは、ファジーリソース構成問題を回避することができる。
【０１４９】
任意選択で、端末により使用されるリソース周期を調整するために、通信装置３０００は、図８Ｂに示されるように、受信ユニット３００３をさらに含む。
【０１５０】
受信ユニット３００３は、端末により送出された周期パラメータ調整命令情報を受信するように構成される。
【０１５１】
処理ユニット３００１は、受信ユニットにより受信された周期パラメータ調整命令情報に従いリソース周期パラメータを調整するようにさらに構成される。
【０１５２】
送出ユニット３００２は、調整の後に取得されたリソース周期パラメータを送出して、端末により使用されるリソース周期を調整するようにさらに構成される。
【０１５３】
本発明の実施例は通信装置をさらに提供する。通信装置は送出端末に適用される。送出端末に適用される通信装置は、エアインターフェース時間ユニットにおいてネットワーク側デバイスから時間ユニット指示情報を受信し、エアインターフェース時間ユニット及び時間ユニット指示情報に従いサイドリンク時間ユニットを決定し、サイドリンク時間ユニットにおいて通信データを送出することができる。
【０１５４】
送出端末に適用される通信装置の機能は、ハードウェアにより実現されてよく、あるいはハードウェアにより実行される対応するソフトウェアにより実現されてよい。
【０１５５】
図９は、本発明の実施例に従う送出端末に適用される通信装置４００の概略構造図である。図９に示されるように、送出端末に適用される通信装置４００は、受信機４０１、プロセッサ４０２、及び送信機４０３を含む。通信装置４００は、メモリ４０４をさらに含んでよい。メモリ４０４は、プロセッサ４０２により実行されるプログラムコードを記憶するように構成される。
【０１５６】
プロセッサ４０２は、メモリ４０４に記憶されたプログラムを呼び出して下記の機能を実行するように構成される：
受信機４０１を使用することにより、エアインターフェース時間ユニットにおいてネットワーク側デバイスから時間ユニット指示情報を受信し、時間ユニット指示情報は、エアインターフェース時間ユニットとサイドリンク時間ユニットとの間の対応関係を示すために使用され；エアインターフェース時間ユニット及び時間ユニット指示情報に従いサイドリンク時間ユニットを決定し；送信機４０３を使用することによりサイドリンク時間ユニットにおいて通信データを送出する。
【０１５７】
任意選択で、時間ユニット指示情報は、エアインターフェース時間ユニットの後の第Ｋのエアインターフェース時間ユニットに時間的に重なる２つのサイドリンク時間ユニットのうち１つを示すために使用され、Ｋは正の整数である。Ｋは予め定義された固定値であり、あるいはネットワーク側デバイスにより送出された値である。
【０１５８】
プロセッサ４０２は、時間ユニット指示情報に従い、サイドリンク時間ユニットとして、エアインターフェース時間ユニットの後の第Ｋのエアインターフェース時間ユニットに時間的に重なる２つのサイドリンク時間ユニットの中の１つのサイドリンク時間ユニットを決定する。
【０１５９】
任意選択で、時間ユニット指示情報は、下記の方式のうちいずれか１つにおいて２つのサイドリンク時間ユニットのうち１つを示す：
２つのサイドリンク時間ユニットのうち系列番号が奇数である１つのサイドリンク時間ユニットを示す方式、２つのサイドリンク時間ユニットのうち系列番号が偶数である１つのサイドリンク時間ユニットを示す方式、２つのサイドリンク時間ユニットのうち時間がより早い１つのサイドリンク時間ユニットを示す方式、又は、２つのサイドリンク時間ユニットのうち時間がより遅い１つのサイドリンク時間ユニットを示す方式。
【０１６０】
任意選択で、時間ユニット指示情報は、サイドリンク上のフレーム内の時間ユニット系列番号を示すために使用され、
プロセッサ４０２は、サイドリンク時間ユニットとして、サイドリンク上の時間ユニット系列番号に対応するサイドリンク時間ユニットを使用し、時間ユニット系列番号に対応するサイドリンク時間ユニットの時間は、エアインターフェース時間ユニットの時間よりもより遅い。
【０１６１】
任意選択で、時間ユニット指示情報は、サブフレームスケジューリング対応関係情報により示される少なくとも１つのサイドリンク時間ユニットのうち少なくとも１つを示すために使用され、サブフレームスケジューリング対応関係情報は、エアインターフェース時間ユニットに対応する少なくとも１つのサイドリンク時間ユニットを示すために使用され、
プロセッサ４０２は、エアインターフェース時間ユニット及びサブフレームスケジューリング情報に従い、エアインターフェース時間ユニットに対応する少なくとも１つのサイドリンク時間ユニットを決定し、サイドリンク時間ユニットとして、エアインターフェース時間ユニットに対応する少なくとも１つのサイドリンク時間ユニットのうち時間ユニット指示情報により示される少なくとも１つのサイドリンク時間ユニットを使用する。
【０１６２】
サブフレームスケジューリング対応関係情報は、システムに予め定義され、あるいはネットワーク側デバイスにより構成される。
【０１６３】
任意選択で、時間ユニット指示情報は、時間ユニット指示情報が受信されたエアインターフェース時間ユニットの後の第Ｋのエアインターフェース時間ユニットに対応するｓｉｄｅｌｉｎｋ時間ユニットを示すために使用され、Ｋは正の整数であり、
プロセッサ４０２は、通信データを送出するためのｓｉｄｅｌｉｎｋ時間ユニットとして、エアインターフェース時間ユニットの後の第Ｋのエアインターフェース時間ユニットに対応するｓｉｄｅｌｉｎｋ時間ユニットを使用する。
【０１６４】
送出端末に適用される通信装置において、対応する機能を実行するハードウェア又はソフトウェアは、機能に対応する１つ以上のモジュールを含む。モジュールは、ソフトウェア及び／又はハードウェアであり得る。
【０１６５】
図１０は、本発明の実施例による送出端末に適用される通信装置４０００の概略構造図である。図１０を参照すると、送出端末に適用される通信装置４０００は、受信ユニット４００１、処理ユニット４００２、及び送出ユニット４００３を含む。
【０１６６】
受信ユニット４００１は、エアインターフェース時間ユニットにおいてネットワーク側デバイスから時間ユニット指示情報を受信するように構成され、時間ユニット指示情報は、エアインターフェース時間ユニットとサイドリンク時間ユニットとの間の対応関係を示すために使用される。処理ユニット４００２は、受信ユニット４００１により受信されたエアインターフェース時間ユニット及び時間ユニット指示情報に従いサイドリンク時間ユニットを決定するように構成される。送出ユニット４００３は、処理ユニット４００２により決定されたサイドリンク時間ユニットにおいて通信データを送出するように構成される。
【０１６７】
任意選択で、時間ユニット指示情報は、エアインターフェース時間ユニットの後の第Ｋのエアインターフェース時間ユニットに時間的に重なる２つのサイドリンク時間ユニットのうち１つを示すために使用され、Ｋは正の整数である。
【０１６８】
処理ユニット４００２は、時間ユニット指示情報に従い、サイドリンク時間ユニットとして、エアインターフェース時間ユニットの後の第Ｋのエアインターフェース時間ユニットに時間的に重なる２つのサイドリンク時間ユニットの中の１つのサイドリンク時間ユニットを決定する。
【０１６９】
時間ユニット指示情報は、下記の：２つのサイドリンク時間ユニットのうち系列番号が奇数である１つのサイドリンク時間ユニットを示す方式、２つのサイドリンク時間ユニットのうち系列番号が偶数である１つのサイドリンク時間ユニットを示す方式、２つのサイドリンク時間ユニットのうち時間がより早い１つのサイドリンク時間ユニットを示す方式、又は、２つのサイドリンク時間ユニットのうち時間がより遅い１つのサイドリンク時間ユニットを示す方式、のうちいずれか１つにおいて２つのサイドリンク時間ユニットのうち１つを示してよい。
【０１７０】
Ｋは予め定義された固定値であり、あるいはネットワーク側デバイスにより送出された値である。
【０１７１】
任意選択で、時間ユニット指示情報は、サイドリンク上のフレーム内の時間ユニット系列番号を示すために使用され、
処理ユニット４００２は、サイドリンク時間ユニットとして、サイドリンク上の時間ユニット系列番号に対応するサイドリンク時間ユニットを使用し、
時間ユニット系列番号に対応するサイドリンク時間ユニットの時間は、エアインターフェース時間ユニットの時間よりもより遅い。
【０１７２】
任意選択で、時間ユニット指示情報は、サブフレームスケジューリング対応関係情報により示される少なくとも１つのサイドリンク時間ユニットのうち少なくとも１つを示すために使用され、サブフレームスケジューリング対応関係情報は、エアインターフェース時間ユニットに対応する少なくとも１つのサイドリンク時間ユニットを示すために使用され、
処理ユニット４００２は、エアインターフェース時間ユニット及びサブフレームスケジューリング情報に従い、エアインターフェース時間ユニットに対応する少なくとも１つのサイドリンク時間ユニットを決定し、サイドリンク時間ユニットとして、エアインターフェース時間ユニットに対応する少なくとも１つのサイドリンク時間ユニットのうち時間ユニット指示情報により示される少なくとも１つのサイドリンク時間ユニットを使用する。
【０１７３】
サブフレームスケジューリング対応関係情報は、システムに予め定義され、あるいはネットワーク側デバイスにより構成される。
【０１７４】
任意選択で、時間ユニット指示情報は、時間ユニット指示情報が受信されたエアインターフェース時間ユニットの後の第Ｋのエアインターフェース時間ユニットに対応するｓｉｄｅｌｉｎｋ時間ユニットを示すために使用され、Ｋは正の整数であり、
処理ユニットは、通信データを送出するためのｓｉｄｅｌｉｎｋ時間ユニットとして、エアインターフェース時間ユニットの後の第Ｋのエアインターフェース時間ユニットに対応するｓｉｄｅｌｉｎｋ時間ユニットを使用する。
【０１７５】
本発明の実施例は、ネットワーク側デバイスに適用される通信装置をさらに提供する。ネットワーク側デバイスに適用される通信装置は、エアインターフェース時間ユニットにおいて時間ユニット指示情報を送出端末に送出することができ、時間ユニット指示情報は、エアインターフェース時間ユニットとサイドリンク時間ユニットとの間の対応関係を示すために使用され、送出端末は、エアインターフェース時間ユニット及び時間ユニット指示情報に従いサイドリンク時間ユニットを決定する。
【０１７６】
ネットワーク側デバイスに適用される通信装置の機能は、ハードウェアにより実現されてよく、あるいはハードウェアにより実行される対応するソフトウェアにより実現されてよい。
【０１７７】
図１１は、本発明の実施例によるネットワーク側デバイスに適用される通信装置５００の概略構造図である。図１１に示されるように、ネットワーク側デバイスに適用される通信装置５００は、プロセッサ５０１及び送信機５０２を含む。通信装置５００は、メモリ５０３をさらに含んでよい。メモリ５０３は、プロセッサ５０１により実行されるプログラムコードを記憶するように構成される。
【０１７８】
プロセッサ５０１は、メモリ５０３に記憶されたプログラムを呼び出して下記の機能を実行するように構成される：
時間ユニット指示情報を決定し、送信機５０２を使用することによりエアインターフェース時間ユニットにおいて、処理ユニットにより決定された時間ユニット指示情報を送出端末に送出し、時間ユニット指示情報は、エアインターフェース時間ユニットとサイドリンク時間ユニットとの間の対応関係を示すために使用され、送出端末は、エアインターフェース時間ユニット及び時間ユニット指示情報に従いサイドリンク時間ユニットを決定する。
【０１７９】
任意選択で、時間ユニット指示情報は、エアインターフェース時間ユニットの後の第Ｋのエアインターフェース時間ユニットに時間的に重なる２つのサイドリンク時間ユニットのうち１つを示すために使用され、Ｋは正の整数である。
【０１８０】
時間ユニット指示情報は、下記の：２つのサイドリンク時間ユニットのうち系列番号が奇数である１つのサイドリンク時間ユニットを示す方式、２つのサイドリンク時間ユニットのうち系列番号が偶数である１つのサイドリンク時間ユニットを示す方式、２つのサイドリンク時間ユニットのうち時間がより早い１つのサイドリンク時間ユニットを示す方式、又は、２つのサイドリンク時間ユニットのうち時間がより遅い１つのサイドリンク時間ユニットを示す方式、のうちいずれか１つにおいて２つのサイドリンク時間ユニットのうち１つを示す。
【０１８１】
Ｋは予め定義された固定値であり、あるいはネットワーク側デバイスにより送出された値である。
【０１８２】
任意選択で、時間ユニット指示情報は、サイドリンク上のフレーム内の時間ユニット系列番号を示すために使用される。
【０１８３】
任意選択で、時間ユニット指示情報は、サブフレームスケジューリング対応関係情報により示される少なくとも１つのサイドリンク時間ユニットのうち少なくとも１つを示すために使用され、サブフレームスケジューリング対応関係情報は、エアインターフェース時間ユニットに対応する少なくとも１つのサイドリンク時間ユニットを示すために使用される。
【０１８４】
任意選択で、サブフレームスケジューリング対応関係情報は、システムに予め定義され、あるいはネットワーク側デバイスにより構成される。
【０１８５】
任意選択で、時間ユニット指示情報は、時間ユニット指示情報が受信されたエアインターフェース時間ユニットの後の第Ｋのエアインターフェース時間ユニットに対応するｓｉｄｅｌｉｎｋ時間ユニットを示すために使用され、Ｋは正の整数である。
【０１８６】
ネットワーク側デバイスに適用される通信装置において、対応する機能を実行するハードウェア又はソフトウェアは、機能に対応する１つ以上のモジュールを含む。モジュールは、ソフトウェア及び／又はハードウェアであり得る。
【０１８７】
図１２は、本発明の実施例によるネットワーク側デバイスに適用される通信装置５０００の概略構造図である。図１２に示されるように、ネットワーク側デバイスに適用される通信装置５０００は、処理ユニット５００１及び送信ユニット５００２を含む。処理ユニット５００１は、時間ユニット指示情報を決定するように構成される。送信ユニット５００２は、エアインターフェース時間ユニットにおいて、処理ユニットにより決定された時間ユニット指示情報を送出端末に送出するように構成され、時間ユニット指示情報は、エアインターフェース時間ユニットとサイドリンク時間ユニットとの間の対応関係を示すために使用され、送出端末は、エアインターフェース時間ユニット及び時間ユニット指示情報に従いサイドリンク時間ユニットを決定する。
【０１８８】
任意選択で、時間ユニット指示情報は、エアインターフェース時間ユニットの後の第Ｋのエアインターフェース時間ユニットに時間的に重なる２つのサイドリンク時間ユニットのうち１つを示すために使用されてよく、Ｋは正の整数である。Ｋは予め定義された固定値であり、あるいはネットワーク側デバイスにより送出された値である。
【０１８９】
時間ユニット指示情報は、下記の：２つのサイドリンク時間ユニットのうち系列番号が奇数である１つのサイドリンク時間ユニットを示す方式、２つのサイドリンク時間ユニットのうち系列番号が偶数である１つのサイドリンク時間ユニットを示す方式、２つのサイドリンク時間ユニットのうち時間がより早い１つのサイドリンク時間ユニットを示す方式、又は、２つのサイドリンク時間ユニットのうち時間がより遅い１つのサイドリンク時間ユニットを示す方式、のうちいずれか１つにおいて２つのサイドリンク時間ユニットのうち１つを示す。
【０１９０】
時間ユニット指示情報は、サイドリンク上のフレーム内の時間ユニット系列番号を示すために使用されてよい。
【０１９１】
時間ユニット指示情報は、サブフレームスケジューリング対応関係情報により示される少なくとも１つのサイドリンク時間ユニットのうち少なくとも１つを示すために使用され、サブフレームスケジューリング対応関係情報は、エアインターフェース時間ユニットに対応する少なくとも１つのサイドリンク時間ユニットを示すために使用される。
【０１９２】
サブフレームスケジューリング対応関係情報は、システムに予め定義され、あるいはネットワーク側デバイスにより構成される。
【０１９３】
時間ユニット指示情報は、時間ユニット指示情報が受信されたエアインターフェース時間ユニットの後の第Ｋのエアインターフェース時間ユニットに対応するｓｉｄｅｌｉｎｋ時間ユニットを示すために使用され、Ｋは正の整数である。
【０１９４】
ネットワーク側デバイス及び端末におけるコントローラ／プロセッサは、汎用目的中央処理ユニット（central  processing  unit、ＣＰＵ）、マイクロプロセッサ、特定用途向け集積回路（application-specific  integrated  circuit、ＡＳＩＣ）、又は本発明の解決策においてプログラム実行を制御する１つ以上の集積回路であり得る点に留意すべきである。コンピュータシステムに含まれる１つ以上のメモリが、読取専用メモリ（read-only  memory、ＲＯＭ）、若しくは静的情報及び命令を記憶することができる他タイプの静的記憶デバイス、又はランダムアクセスメモリ（random  access  memory、ＲＡＭ）、若しくは情報及び命令を記憶することができる他タイプの動的記憶デバイスであり得、あるいは磁気ディスク記憶装置であり得る。メモリは、バスによりプロセッサに接続される。
【０１９５】
前述の実施例の図面におけるネットワーク側デバイス及び端末の構造は、単にネットワーク側デバイス及び端末の簡素化された設計であるが、これは限定されないことが理解され得る。実際の適用において、ネットワーク側デバイスは、任意の数量の送信機、受信機、プロセッサ、コントローラ、メモリ、通信ユニットなどを含んでよく、端末は、エンコーダ、変調器、復調器、デコーダなどをさらに含んでよい。
【０１９６】
ネットワーク側デバイス及び端末により実現される本発明の実施例における通信方法が、本発明の下記の実施例で詳細に説明される。
【０１９７】
図１３は、本発明の実施例による通信方法の概略フローチャートである。図１３に示されるように、方法は下記のステップを含む。
【０１９８】
Ｓ１０１．ネットワーク側デバイスがリソース周期パラメータを構成し、送出する。
【０１９９】
本発明のこの実施例において、ネットワーク側デバイスにより構成されるリソースの数量は、少なくとも１つである。例えば、リソースは、リソースプールと理解されてよい。リソース周期パラメータは、少なくとも１つのリソースの各々の周期継続時間を含み、リソースは、１つ以上の周期を含んでよく、周期継続時間は、占有されるサブフレームの数量と理解されてよい。
【０２００】
ネットワーク側デバイスは、少なくとも１つのリソースを端末に割り振ることができる。ゆえに、ネットワーク側デバイスにより送出されるリソース周期パラメータは、少なくとも１つのリソース周期継続時間をさらに含み、含まれるリソース周期継続時間の具体的な数量は、ネットワーク側デバイスにより割り振られるリソースの数量と一貫している。
【０２０１】
ネットワーク側デバイスは、送出リソース周期パラメータと受信リソース周期パラメータとを別個に構成することができる。送出端末として使用される端末は、ネットワーク側デバイスにより送出された送出リソース周期パラメータを受信し、送出リソース周期パラメータに従い通信データを送出する。受信端末として使用される端末は、ネットワーク側デバイスにより送出された受信リソース周期パラメータを受信し、受信リソース周期パラメータに従い通信データを受信する。
【０２０２】
本発明のこの実施例における説明の容易さのため、送出端末として使用される端末は第１の端末と呼ばれ、受信端末として使用される端末は第２の端末と呼ばれる。
【０２０３】
ネットワーク側デバイスがリソース周期パラメータを送出するとき、ネットワーク側デバイスは、システム情報を使用することにより、関連する周期パラメータをカバーされた端末にブロードキャストし、あるいは、無線リソース制御（Radio  Resource  Control）シグナリングを使用することにより、関連する周期パラメータを接続モードでいくつかのカバーされた端末に別個に送出することができる。
【０２０４】
Ｓ１０２．第１の端末が、リソース周期の開始時間ユニットを決定し、取得されたリソース周期パラメータに従いデータを送出する。
【０２０５】
本発明のこの実施例において第１の端末により決定される周期の開始時間ユニットは、第１の端末により通信データを送出することを開始するための周期の開始サブフレームと理解されてよく、後のデータパケットが、第１の開始時間ユニット及び周期に基づき周期的に送出される。
【０２０６】
本発明のこの実施例において図に示される第１の端末により取得されるリソース周期パラメータは、ネットワーク側デバイスにより送出されるが、これは限定されない。本発明のこの実施例において第１の端末により取得されるリソース周期パラメータはさらに、予め構成されてよく、ネットワークカバレッジなしのシナリオに適用可能であり得る。
【０２０７】
本発明のこの実施例において、第１の端末は、通信データを送出することを開始するためのリソース周期の開始時間ユニットを決定する。ゆえに、リソース周期の開始時間ユニットはランダムであり、より柔軟であり、端末のデータパケット生成時間のランダム性の特徴に適合でき、さらに、通信データ送信性能が改善でき、レイテンシが低減できる。
【０２０８】
Ｓ１０３．第２の端末が、第１の端末により送出された通信データを受信する。
【０２０９】
本発明のこの実施例において通信を実行するためのリソース周期の開始時間ユニットをランダムに決定するプロセスを下記でさらに説明する。
【０２１０】
Ｓ１０１において、ネットワーク側デバイスは、端末のタイプ、端末の優先順位、端末により送出される通信データのタイプなどに従い、異なるリソース周期パラメータを構成することができる。例えば、ＬＴＥ‐Ｖにおいて、車両が、高から低へＳ１、Ｓ２、・・・、及びＳＫと配置されたＫ個の異なる優先順位を有し、優先順位に対してネットワーク側デバイスにより構成された対応する送出リソース周期が、それぞれ、Ｔ１、Ｔ２、・・・、及びＴＫであり、すなわち、優先順位Ｓiを有する車両が、送出リソース周期としてＴｉを使用し、ｉ＝１、２、・・・、及びＫである。ＬＴＥ‐Ｖにおいて、端末により送出される通信データは、Ｐ個の異なるタイプに分類され、タイプは、それぞれ、Ｍ１、Ｍ２、・・・、及びＭＰである。ネットワーク側デバイスは、通信データタイプそれぞれについて対応する送出リソース周期を構成し、周期は、それぞれ、Ｎ１、Ｎ２、・・・、及びＮＰである。すなわち、端末により送出される通信データのタイプがＭｊであるとき、Ｎｊが送出リソース周期として使用され、ｊ＝１、２、・・・、及びＰである。
【０２１１】
ネットワーク側デバイスが、端末の優先順位と端末に送出される通信データのタイプとに従い複数のリソース周期パラメータを構成する場合、第１の端末は、第１の端末の優先順位に従いネットワーク側デバイスから、優先順位に対応するリソース周期パラメータを取得し、あるいは、第１の端末は、送出されるデバイス対デバイス通信データのタイプに従いネットワーク側デバイスから、デバイス対デバイス通信データのタイプに対応するリソース周期パラメータを取得する。ゆえに、異なる端末又は同じ端末が、異なる場合に異なるリソース周期を使用することができる。
【０２１２】
Ｓ１０１において、すべてのリソースについてネットワーク側デバイスにより構成される周期パラメータは同じか又は異なることがあり、リソースの周期継続時間がさらに変更され得る。例えば、時間Ｔ１から開始し、リソースＡについてネットワーク側デバイスにより構成される周期継続時間が、ｘ  ｍｓであり、時間Ｔ２から開始し、リソースＡについてネットワーク側デバイスにより構成される周期継続時間は、ｙ  ｍｓに変更される。具体的に、リソース周期継続時間は、異なる方法に従い調整されてよい。可能な方式は、第１の端末により送出された周期パラメータ調整命令情報に従い周期情報を調整することである。
【０２１３】
図１４は、本発明の実施例による通信方法の別の実現フローチャートである。
【０２１４】
図１４に示される方法の実現プロセスにおいて、ステップＳ２０１、Ｓ２０２、及びＳ２０３は、それぞれ、図１３に示される方法の実現プロセスにおけるステップＳ１０１、Ｓ１０２、及びＳ１０３と同じである。図１４の方法が下記のステップをさらに含む点に差がある。
【０２１５】
Ｓ２０４．第１の端末が、周期パラメータ調整命令情報を送出する。
【０２１６】
本発明のこの実施例において、第１の端末により送出される周期パラメータ調整命令情報は、第１の端末のリソース負荷情報、データパケットのレイテンシ要件などを含んでよい。これは限定されない。
【０２１７】
Ｓ２０５．ネットワーク側デバイスが、第１の端末により送出された周期パラメータ調整命令情報を受信し、周期パラメータ調整命令情報に従いリソース周期パラメータを調整する。
【０２１８】
本発明のこの実施例において、ネットワーク側デバイスは、第１の端末のリソース負荷に従いリソース周期パラメータを調整することができる。例えば、第１の端末により送出されたリソース調整命令情報内のリソース負荷が、前の時間のリソース負荷よりもより重くなった場合、ネットワーク側デバイスは、リソース周期継続時間を増加することができ、あるいは、第１の端末により送出されたリソース調整命令情報内のリソース負荷が、前の時間のリソース負荷よりもより軽くなった場合、リソース周期継続時間を低減することができる。異なるレイテンシを有するデータパケットについて、同様の調整がさらに実行されてよい。例えば、高い優先順位を有するいくつかのデータパケットが可能な限り早く送出される必要があり、リソース周期を短くする。
【０２１９】
Ｓ２０６．ネットワーク側デバイスが、調整の後に取得されたリソース周期パラメータを送出する。
【０２２０】
ネットワーク側デバイスは、調整の後に取得されたリソース周期パラメータを送出し、第１の端末は、調整の後に取得されたリソース周期パラメータに従いデータを送出することができる。
【０２２１】
Ｓ１０２において、リソース周期の開始時間ユニットを決定するとき、第１の端末は、第１の端末の特定のモードに従い異なる決定方式を使用してよい。
【０２２２】
第１の端末は、２つのモードで通信データを送出することができる。一方のモードにおいて、第１の端末は、ネットワーク側デバイスにより第１の端末に割り振られた時間ドメインリソースを使用することにより通信データを送出する。他方のモードにおいて、端末は、通信データを送出するために時間ドメインリソースを自律的に選択する。
【０２２３】
図１５は、本発明の実施例による第１の端末により利用可能なリソースの周期の開始時間ユニットを決定する概略フローチャートである。図１５に示されるように、第１の端末は、時間ドメインリソースを使用する方式を決定する。第１の端末が、通信データを送出するための時間ドメインリソースを自律的に選択するとき、第１の端末により送出される通信データは、底部物理レイヤで送出され、より高いレイヤでトランスポートブロック（Transport  Block、ＴＢ）を送出するための開始サブフレームが、利用可能なリソースの周期の開始時間ユニットとして使用され得る。
【０２２４】
第１の端末が、ネットワーク側デバイスにより割り振られた時間ドメインリソースを使用することにより通信データを送出するとき、利用可能なリソースの周期の開始時間ユニットは、下記の２つの方式で決定されてよい。
【０２２５】
方式１：ネットワーク側デバイスが、エアインターフェース（Ｕｕインターフェース）を使用することによりスケジューリング情報（Downlink  Control  Information、ＤＣＩ）を第１の端末に送出し、第１の端末は、周期の開始時間ユニットとして、スケジューリング情報が受信されたサブフレームに対応するｓｉｄｅｌｉｎｋサブフレームの後の第Ｋのｓｉｄｅｌｉｎｋサブフレームを使用し、あるいは、第１の端末は、周期の開始時間ユニットとして、スケジューリング情報が受信されたサブフレームの後の第Ｋのサブフレームに対応するｓｉｄｅｌｉｎｋサブフレームを使用し、Ｋは、非負の整数である。
【０２２６】
方式２：ネットワーク側デバイスが、エアインターフェースを使用することによりスケジューリング情報を第１の端末に送出し、スケジューリング情報は、第１の端末の周期の開始時間ユニットを示し、第１の端末は、スケジューリング情報を受信し、周期の開始時間ユニットとして、スケジューリング情報により示される時間ユニットを使用する。
【０２２７】
ネットワーク側デバイスと第１の端末との間、及び第１の端末と第２の端末との間で使用されるタイミングが、非同期的であり得るため、システムフレーム番号（System  Frame  Number、ＳＦＮ）及び直接フレーム番号（Direct  Frame  Number、ＤＦＮ）が非同期的であり得る。リソース周期の開始時間ユニットが方式１で決定される場合、ＳＦＮとＤＦＮとの間の変換が必要とされるため、同期タイミングにより引き起こされるファジーリソース構成問題が生じる可能性がある。方式２が使用され、ネットワーク側デバイスがリソース周期の開始時間ユニットを直接示す場合、前述のファジーリソース構成問題は回避できる。
【０２２８】
第１の端末は、実際の状況に従い、利用可能なリソースの周期の開始時間ユニットを決定するために、前述の２つの方式のうち１つを選択してよい。可能な実現方式において、第１の端末が周期の開始時間ユニットを決定する前、ネットワーク側デバイスがシステムフレーム番号（System  Frame  Number、ＳＦＮ）と直接フレーム番号（Direct  Frame  Number、ＤＦＮ）との間のオフセットを取得することができる場合、オフセットが第１の端末により取得され、ネットワーク側に送出される場合、方式２が使用されてよく、ネットワーク側デバイスは、送出されるスケジューリング情報に、第１の端末に利用可能なリソースの周期の開始時間ユニットを示す。
【０２２９】
本発明のこの実施例において、ネットワーク側デバイスは、リソースオフセット指示情報を端末にさらに送出する必要がなく、端末自体が、スケジューリング情報に従いリソース周期の開始時間ユニットを決定することができる。これは、複数の同期タイミングにより引き起こされるファジーリソース構成問題を回避することができる。
【０２３０】
Ｓ１０２において、利用可能なリソースの周期の開始時間ユニットを決定した後、第１の端末は、通信データを送出してよい。通信データを送出するとき、第１の端末は、取得されたリソース周期パラメータに含まれる周期継続時間に従い通信データを送出してよい。
【０２３１】
本発明のこの実施例において、受信端末（第２の端末）によりデータを受信する簡便さのため、下記の可能な実現方式が使用されてよい。
【０２３２】
可能な実現方式において、複数のリソース周期がネットワーク側デバイスにより構成されるとき、図１３又は図１４に示される方法の実現プロセスに基づいて、方法は下記をさらに含む：第１の端末が、第１の端末により使用されるリソース周期を決定し、リソース周期指示情報を第２の端末に送出し、すなわち、第１の端末は、第１の端末により現在使用されているリソース周期を第２の端末に対して示し、第２の端末は、第１の端末により示されるリソース周期に従い通信データを受信し、通信データにより占有される時間ドメインリソース位置を決定する。
【０２３３】
図１６は、本発明の実施例によるデバイス対デバイス通信方法のさらに別の実現フローチャートである。例示目的で、図１６に示される方法の実現プロセスは、図１４に示される方法の実現プロセスに基づいて説明され、すなわち、図１４に示される方法の実現プロセスに基づき、方法は下記のステップをさらに含む。
【０２３４】
Ｓ２０７．第１の端末が、リソース周期指示情報を第２の端末に送出する。
【０２３５】
第１の端末は、ＳＡにおいてリソース周期指示情報を送出することができ、リソース周期指示情報は、特定のリソース周期継続時間であり得、あるいはリソース周期継続時間を示すために使用されるインデックス値であり得る。
【０２３６】
本発明のこの実施例において、異なるリソース周期に毎回通信データを送信するための位置が、異なるビットにより表され得る。本発明のこの実施例において、時間ドメイン送信リソース指示情報が、リソース周期に通信データを送出するために毎回占有される時間ドメインリソース位置を示すために使用され、具体的に、Ｄ２Ｄ通信システムのＳＡ内のＴ‐ＲＰＴフィールドが使用されてよく、しかし確かに、これは限定されない。例えば、Ｔ‐ＰＲＴの拡張、又はＴ‐ＲＰＴと同様のインデックス値情報が使用されてよい。任意選択で、異なるリソース周期継続時間が、時間ドメイン送信リソース指示情報フィールド内に異なるビット長により示されることができる。例えば、長さがａビットである時間ドメイン送信リソース指示情報フィールドに対応する様々な２進値が、リソース周期指示情報により示されるリソース周期に通信データを送信するために毎回占有される時間ドメインリソース位置を示すために使用されてよく、リソース周期継続時間は、ｘ  ｍｓである。
【０２３７】
第２の端末は、第１の端末により送出されたリソース周期指示情報を受信する。
【０２３８】
本発明のこの実施例において、第２の端末は、第１の端末のＳＡを取得することにより、第１の端末により送出されたリソース周期指示情報を取得することができる。第１の端末により送出されたリソース周期指示情報を受信した後、第２の端末は、第１の端末により使用されるリソース周期を取得することができる。第１の端末により使用される取得されたリソース周期に従い、リソース周期に通信データを送信するために使用される時間ドメイン送信リソース指示情報フィールドの長さが決定されてよく、リソース周期に通信データを送信するために毎回占有される時間ドメインリソース位置は、長さに従い解析される。例えば、ＳＡにおいて第１の端末により送出されたリソース周期指示情報により示されるリソース周期継続時間が、ｘ  ｍｓであるとき、第２の端末は、ＳＡにおいて第１の端末により送出された時間ドメイン送信リソース指示情報フィールドの長さがａビットであると習得することができ、リソース周期継続時間がｘ  ｍｓであるリソース周期に従い、ａビットの時間ドメイン送信リソース指示情報を示す２進値をさらに解析して、時間ドメイン送信リソース指示情報により示される時間ドメインリソース位置を取得することができる。
【０２３９】
本発明のこの実施例において、使用されるリソース周期に第１の端末が毎回送信する通信データの時間ドメインリソース位置を第２の端末が取得することを可能にするために、前述の実施例に基づいて、第１の端末は、時間ドメイン送信リソース指示情報を第２の端末にさらに送出してよく、時間ドメイン送信リソース指示情報は、リソース周期の開始時間ユニットに対して相対的であり、かつリソース周期に通信データを送出するために毎回占有される、時間ドメインリソース位置を示すために使用される。例えば、図１７に示される通信データの時間ドメイン送信の概略図において、通信データＡが、リソース周期継続時間がｘ  ｍｓであるリソース周期に第１のサブフレーム、第３のサブフレーム、第５のサブフレーム、及び第７のサブフレームに内で別個に１回送出され、合計で４回送出される。この場合、時間ドメイン送信リソース指示情報は、リソース周期継続時間がｘ  ｍｓであるリソース周期の開始サブフレームに相対して、通信データＡが第１のサブフレーム、第３のサブフレーム、第５のサブフレーム、及び第７のサブフレーム内で送出されることを示すために使用される。第１の端末は、時間ドメイン送信における、時間ドメイン送信リソース指示情報により示される時間ドメインリソース位置の絶対位置を第２の端末が決定するために使用される指示情報を、第２の端末にさらに送出してよい。指示情報は、例えば、送信系列番号指示情報又は周期開始点指示情報であり得る。周期開始点指示情報は、リソース周期の開始時間ユニットを示すために使用され、リソース周期の開始時間ユニットは、時間ドメイン送信における絶対位置である。送信系列番号指示情報は、リソース周期における、送出されるデバイス対デバイス通信データの送信系列番号を示すために使用される。例えば、通信データＡが、リソース周期継続時間がｘ  ｍｓであるリソース周期に第１のサブフレーム、第３のサブフレーム、第５のサブフレーム、及び第７のサブフレーム内で別個に１回送出される。この場合、送信系列番号指示情報は、通信データＡが１回目、２回目、３回目、又は４回目送信されることを示すことができる。
【０２４０】
周期開始点指示情報により示されるリソース周期の開始時間ユニットは、時間ドメイン送信における時間ドメインリソースの絶対位置、例えば、図１７における第１５のサブフレームである。時間ドメインリソース指示情報により示される時間ドメインリソース位置は、相対位置である。例えば、時間ドメイン送信リソース指示情報に示される第１のサブフレーム、第３のサブフレーム、第５のサブフレーム、及び第７のサブフレームは、リソース周期継続時間がｘ  ｍｓであるリソース周期の開始時間ユニットに対して相対的である。
【０２４１】
図１８Ａは、本発明の実施例によるデバイス対デバイス通信方法のさらに別の実現フローチャートである。例示目的で、図１８Ａに示される方法の実現プロセスは、図１６に示される方法の実現プロセスに基づいて説明されるが、これは限定されない。方法の実現プロセスは、図１３又は図１４に示される方法の実現プロセスにさらに基づいてよい。図１６に示される方法の実現プロセスに基づいて、方法は下記のステップをさらに含む。
【０２４２】
Ｓ２０８ａ．第１の端末が、送信系列番号指示情報及び時間ドメイン送信リソース指示情報を第２の端末に送出する。
【０２４３】
第１の端末は、ＳＡにおいて送信系列番号指示情報及び時間ドメイン送信リソース指示情報を第２の端末に送出してよい。
【０２４４】
Ｓ２０９ａ．第２の端末が、送信系列番号指示情報及び時間ドメイン送信リソース指示情報に従い、通信データの時間ドメインリソース位置を決定する。
【０２４５】
第２の端末は、第１の端末のＳＡを取得し、ＳＡに従い、第１の端末により送出された時間ドメイン送信リソース指示情報を取得し、時間ドメイン送信リソース指示情報を解析して、現在のリソース周期に複数回送信される現在受信している通信データの、及びリソース周期の開始時間ユニットに対して相対的な、各々の相対位置を取得することができる。例えば、現在取得された時間ドメイン送信リソース指示情報は、毎回送信される現在のデータが、リソース周期継続時間がｘ  ｍｓであるリソース周期における第１のサブフレーム、第３のサブフレーム、第５のサブフレーム、又は第７のサブフレーム内の通信データＡであることを示す。第１の端末は、ＳＡに従い、第１の端末により送出された送信系列番号指示情報をさらに取得し、送信系列番号指示情報を解析して、現在のリソース周期において現在受信している通信データが送信された送信回数を取得することができる。例えば、リソース周期継続時間がｘ  ｍｓであるリソース周期における第１のサブフレーム内の通信データＡについて、解析された送信系列番号指示情報は１回目の送信を示し得る。
【０２４６】
第２の端末は、送信系列番号指示情報及び時間ドメイン送信リソース指示情報を参照し、時間ドメイン送信における現在受信している通信データの絶対位置を決定することができ、すなわち、図１７に示される第１５のサブフレームの位置を決定することができ、リソース周期継続時間がｘ  ｍｓであるリソース周期に第３のサブフレーム、第５のサブフレーム、及び第７のサブフレーム内で送出された通信データＡが、第１７のサブフレーム、第１９のサブフレーム、及び第２１のサブフレーム内で受信されるとさらに決定することができる。
【０２４７】
図１８Ｂは、本発明の実施例によるデバイス対デバイス通信方法のさらに別の実現フローチャートである。例示目的で、図１８Ｂに示される方法の実現プロセスは、図１６に示される方法の実現プロセスに基づいて説明されるが、これは限定されない。方法の実現プロセスは、図１３又は図１４に示される方法の実現プロセスにさらに基づいてよい。図１６に示される方法の実現プロセスに基づいて、方法は下記のステップをさらに含む。
【０２４８】
Ｓ２０８ｂ．第１の端末が、周期開始点指示情報及び時間ドメイン送信リソース指示情報を第２の端末に送出する。
【０２４９】
第１の端末は、ＳＡにおいて周期開始点指示情報及び時間ドメイン送信リソース指示情報を第２の端末に送出する。
【０２５０】
Ｓ２０９ｂ．第２の端末は、周期開始点指示情報及び時間ドメイン送信リソース指示情報を受信し、周期開始点指示情報及び時間ドメイン送信リソース指示情報に従い通信データの時間ドメインリソース位置を決定する。
【０２５１】
第２の端末は、ＳＡに従い、第１の端末により送出された時間ドメイン送信リソース指示情報を取得し、時間ドメイン送信リソース指示情報を解析して、現在のリソース周期に複数回送信される現在受信している通信データの、及びリソース周期の開始時間ユニットに対して相対的な、各々の相対位置を取得することができる。例えば、現在取得された時間ドメイン送信リソース指示情報は、毎回送信される現在のデータが、リソース周期継続時間がｘ  ｍｓであるリソース周期における第１のサブフレーム、第３のサブフレーム、第５のサブフレーム、又は第７のサブフレーム内の通信データＡであることを示す。第１の端末は、第１の端末により送出された周期開始点指示情報をさらに取得することができ、周期開始点指示情報を解析して、現在受信している通信データのリソース周期の開始サブフレームを取得することができ、例えば、図１７において、リソース周期継続時間がｘ  ｍｓであるリソース周期について、リソース周期の開始サブフレームが第１５のフレームであると決定することができる。
【０２５２】
第２の端末は、周期開始点指示情報及び時間ドメイン送信リソース指示情報を参照し、時間ドメイン送信における現在受信している通信データの絶対位置を決定することができ、すなわち、図１７に示される第１７のフレームの位置を決定することができ、リソース周期継続時間がｘ  ｍｓであるリソース周期に第１のサブフレーム、第５のサブフレーム、及び第７のサブフレーム内で送出された通信データＡが、第１５のフレーム、第１９のフレーム、及び第２１のフレーム内で受信されるとさらに決定することができる。
【０２５３】
本発明のこの実施例において、第１の端末は、送信系列番号指示情報及び時間ドメイン送信リソース指示情報を第２の端末に送出し、あるいは周期開始点指示情報及び時間ドメイン送信リソース指示情報を第２の端末に送出し、それにより、第２の端末は、時間ドメイン送信においてリソース周期に第１の端末が毎回送信する通信データの絶対位置を取得する。
【０２５４】
具体的に、第１の端末は、２進値により一般に示される、周期開始点指示情報又は送信系列番号指示情報を送出する。送信系列番号指示情報について、例えば、データの各々が４回送信される場合、送信系列番号指示情報は２ビットで示され、すなわち、００、０１、１０、及び１１であり得る。あるいは、データの各々が２回送信される場合、送信系列番号指示情報は１ビットで示され、すなわち、０及び１であり得る。周期開始点指示情報について、一般に、リソース周期の開始時間ユニットのより多くの位置が、周期開始点指示情報により示され、より多くのビットが、位置を示すために必要とされる。しかしながら、１つのリソース周期において、送信回数は比較的小さい可能性があり、ゆえに、送信系列番号指示情報を送出する方式が使用され、より少ないビットが使用され得る。
【０２５５】
本発明のこの実施例において、周波数分割複信（Frequency  Division  Duplexing、ＦＤＤ）モードにおいて、Ｕｕインターフェースサブフレームとｓｉｄｅｌｉｎｋサブフレームとにより使用される同期ソースが異なるため、Ｕｕインターフェースサブフレームとｓｉｄｅｌｉｎｋサブフレームとの境界が整合されないことがあり、ゆえに、Ｕｕインターフェースサブフレームとｓｉｄｅｌｉｎｋサブフレームとの間の対応関係が決定できない。例えば、Ｕｕインターフェース上では、ｅＮＢが同期ソースとして使用され、しかしｓｉｄｅｌｉｎｋ上では、全地球航法衛星システム（Global  Navigation  Satellite  System、ＧＮＳＳ）が同期ソースとして使用される。結果として、Ｕｕインターフェースサブフレームとｓｉｄｅｌｉｎｋサブフレームとの境界は、図１９に示されるように、整合されないことがある。図１９において、Ｕｕインターフェース上の系列番号ｎ＋４を有するサブフレームは、ｓｉｄｅｌｉｎｋ上で系列番号がそれぞれｍ＋３及びｍ＋４である２つのｓｉｄｅｌｉｎｋサブフレームをまたぐ（crosses）。結果として、Ｕｕインターフェースサブフレームとｓｉｄｅｌｉｎｋサブフレームとの境界は整合されない。この場合、第１の端末は、Ｕｕインターフェース上で系列番号ｎ＋４を有するサブフレームが、ｓｉｄｅｌｉｎｋ上で系列番号ｍ＋３を有するサブフレームに対応するべきか又は系列番号ｍ＋４を有するサブフレームに対応するべきかを決定することができず、ゆえに、ｓｉｄｅｌｉｎｋ上のいずれのサブフレームがリソース周期の開始ユニットとして決定されるかを決定することができない。
【０２５６】
本発明のこの実施例において、時分割複信（Time  Division  Duplexing、ＴＤＤ）モードにおいて、システムは、周波数搬送波の異なるタイムスロットを使用して情報を送出及び受信し、異なるサービスタイプに従い上りリンク・下りリンク構成（Uplink-Downlink  Configuration）を半静的に調整して、非対称的な上りリンク・下りリンクサービス要件を満たすことができる。例えば、第３世代パートナーシッププロジェクト（3rd  Generation  Partnership  Project、３ＧＰＰ）ＬＴＥシステムでは、表１に示されるように７つの上りリンク・下りリンク構成が含まれ、「Ｄ」は下りリンクサブフレームを表し、「Ｕ」は上りリンクサブフレームを表し、「Ｓ」は特殊サブフレームを表し、特殊サブフレームは、下りリンク送信に使用され得る。
【表１】
2019503624.tif 000003
【０２５７】
２つのデバイス間の直接通信の通信シナリオにおいて、ＵｕインターフェースはＴＤＤモードを使用し、いくつかの時間ユニットのみが下りリンク送信に使用され得る。例えば、表１において、上りリンク・下りリンク構成０において、系列番号０、１、５、及び６を有するサブフレームのみが下りリンク送信に使用されてよく、ネットワーク側デバイスは該サブフレーム内でＤＣＩを第１の端末に送出することができる。しかしながら、ｓｉｄｅｌｉｎｋ上で、専用の搬送波モードが使用され、すべてのサブフレームがデータを送信するために使用され得る。ゆえに、Ｕｕインターフェースとｓｉｄｅｌｉｎｋとの数量はマッチしない。Ｕｕインターフェース上のサブフレーム内のＤＣＩが、固定的にｓｉｄｅｌｉｎｋ上の１つのサブフレームのみスケジュールすることができる場合、ｓｉｄｅｌｉｎｋ上のいくつかの時間ユニットがスケジュールされることができず、ゆえに、データを送出するために使用できず、リソースの浪費を引き起こす。
【０２５８】
ＴＤＤモードが使用されるか又はＦＤＤモードが使用されるかにかかわらず、本発明のこの実施例において、第１の端末がリソース周期の開始時間ユニットを決定するとき、第１の端末が、Ｕｕインターフェースサブフレームとｓｉｄｅｌｉｎｋサブフレームとの間の対応関係に従い、リソース周期の開始時間ユニットとしてｓｉｄｅｌｉｎｋサブフレームを決定する場合、ｓｉｄｅｌｉｎｋサブフレームが一意に決定できないという欠点がある。
【０２５９】
本発明のこの実施例において、説明の容易さのため、以降、ＵｕインターフェースサブフレームはＵｕインターフェース時間ユニットと呼ばれ、ｓｉｄｅｌｉｎｋサブフレームはｓｉｄｅｌｉｎｋ時間ユニットと呼ばれる。
【０２６０】
前述の欠点を回避するために、本発明のこの実施例において、ネットワーク側デバイスは、時間ユニット指示情報を第１の端末に送出することができ、時間ユニット指示情報は、Ｕｕインターフェース時間ユニットとｓｉｄｅｌｉｎｋ時間ユニットとの間の対応関係を示すために使用され、すなわち、時間ユニット指示情報は、Ｕｕインターフェース時間ユニットに対応する特定のｓｉｄｅｌｉｎｋ時間ユニットを示すために使用される。第１の端末は、時間ユニット指示情報を受信した後に時間ユニット指示情報に従い、Ｕｕインターフェース時間ユニットに対応する特定のｓｉｄｅｌｉｎｋ時間ユニットを決定し、リソース周期の開始時間ユニットとして、決定されたｓｉｄｅｌｉｎｋ時間ユニットを使用することができる。
【０２６１】
本発明の下記の実施例において、Ｕｕインターフェース時間ユニットに従いｓｉｄｅｌｉｎｋ時間ユニットを決定するプロセスが主に説明される。
【０２６２】
図２０は、本発明の実施例によるｓｉｄｅｌｉｎｋ時間ユニットを決定するための実現フローチャートである。図２０に示されるように、プロセスは下記のステップを含む。
【０２６３】
Ｓ３０１．ネットワーク側デバイスが時間ユニット指示情報を送出し、時間ユニット指示情報は、Ｕｕインターフェース時間ユニットとｓｉｄｅｌｉｎｋ時間ユニットとの間の対応関係を示すために使用される。
【０２６４】
本発明のこの実施例において、ネットワーク側デバイスは、Ｕｕインターフェース時間ユニットにおいて時間ユニット指示情報を第１の端末に送出する。
【０２６５】
Ｓ３０２．第１の端末が時間ユニット指示情報を受信し、第１の端末は、Ｕｕインターフェース時間ユニット及び時間ユニット指示情報に従いｓｉｄｅｌｉｎｋ時間ユニットを決定する。
【０２６６】
第１の端末は、Ｕｕインターフェース時間ユニットにおいて時間ユニット指示情報を受信する。
【０２６７】
Ｓ３０３．第１の端末が、ｓｉｄｅｌｉｎｋ時間ユニットにおいて通信データを送出する。
【０２６８】
本発明のこの実施例において、第１の端末は、リソース周期の開始時間ユニットとして、決定されたｓｉｄｅｌｉｎｋ時間ユニットを使用することができる。
【０２６９】
一般に、Ｕｕインターフェース上でスケジューリング情報が送出された時間ユニットの後の第Ｋの時間ユニットに対応するｓｉｄｅｌｉｎｋ時間ユニットが、第１の端末のリソース周期の開始時間ユニットとして使用され得る。Ｋの値は固定値であり得る。例えば、Ｋの値は４である。Ｋの値は、ネットワーク側デバイスにより第１の端末に送出されてもよく、ネットワーク側デバイスは、スケジューリング情報を使用することによりＫの値を第１の端末に送出してよい。さらに、毎回ネットワーク側デバイスにより第１の端末に送出されるＫの値は、同じでよく、あるいは異なってよい。
【０２７０】
各フレームが固定数量の時間ユニットを含み、例えば、ＬＴＥネットワークにおける各フレームは１０個の時間ユニットを含み、１０個の時間ユニットの時間ユニット系列番号は０乃至９であるため、本発明のこの実施例において、スケジューリング情報が送出された第ｎの時間ユニットの後の第Ｋの時間ユニットは、フレーム境界をまたぎ得る。フレーム境界がまたがれる場合、時間ユニット系列番号が１０で除算された後に取得される余りが、時間ユニット系列番号として使用される必要がある。例えば、スケジューリング情報を送出するための時間ユニットの系列番号ｎが８である場合、ｎ＋６＝１４であり、これは９より大きく、フレーム境界がまたがれる。この場合、図２１に示されるように、１４が１０で除算された後に取得される余り４が、時間ユニット系列番号として使用される必要がある。
【０２７１】
本発明のこの実施例において時間ユニット指示情報を使用することによりＵｕインターフェース時間ユニットとｓｉｄｅｌｉｎｋ時間ユニットとの間の対応関係を示す特定の実現プロセスを下記で説明する。
【０２７２】
本発明のこの実施例において、下記の実現方式のうち１つ以上が、時間ユニット指示情報を使用することによりＵｕインターフェース時間ユニットとｓｉｄｅｌｉｎｋ時間ユニットとの間の対応関係を示すために使用されてよい。
【０２７３】
実現方式１：時間ユニット指示情報を使用することにより、Ｕｕインターフェース時間ユニットの後の第ＫのＵｕインターフェース時間ユニットに時間的に重なる２つのｓｉｄｅｌｉｎｋ時間ユニットうち１つを示し、Ｋは正の整数である。換言すると、ｓｉｄｅｌｉｎｋ上にあり、かつ境界がＵｕインターフェース時間ユニットの境界に整合されない２つのｓｉｄｅｌｉｎｋ時間ユニットが、時間ユニット指示情報を使用することにより区別される。
【０２７４】
本発明のこの実施例において、第１の端末は、時間ユニット指示情報に従い、ｓｉｄｅｌｉｎｋ時間ユニットとして、Ｕｕインターフェース時間ユニットの後の第ＫのＵｕインターフェース時間ユニットに時間的に重なる２つのｓｉｄｅｌｉｎｋ時間ユニットの中の１つのｓｉｄｅｌｉｎｋ時間ユニットを決定する。
【０２７５】
本発明のこの実施例において、時間ユニット指示情報は、スケジューリング情報を使用することにより送出されてよい。ビットが、ネットワーク側デバイスにより送出されるスケジューリング情報内に設定され、時間ユニット指示情報を示すために使用される。ｓｉｄｅｌｉｎｋ上にあり、かつ境界がＵｕインターフェース時間ユニットの境界に整合されない２つの異なるｓｉｄｅｌｉｎｋ時間ユニットが、時間ユニット指示情報を示すビットの値を使用することにより示される。
【０２７６】
本発明のこの実施例において、時間ユニット指示情報を使用することにより２つのｓｉｄｅｌｉｎｋ時間ユニットのうち１つを示すことは、これらに限られないが下記の方式を含む。
【０２７７】
方式１：２つのｓｉｄｅｌｉｎｋ時間ユニットのうち系列番号が奇数（又は、偶数）である１つのｓｉｄｅｌｉｎｋ時間ユニットを示す。時間ユニット指示情報を示すビットの値が０であるとき、Ｕｕインターフェース上で系列番号がｎ＋Ｋである時間ユニットが、ｓｉｄｅｌｉｎｋ上で系列番号が奇（又は、偶）数である時間ユニットに対応することを示し、あるいは、時間ユニット指示情報を示すビットの値が１であるとき、Ｕｕインターフェース上で系列番号がｎ＋Ｋである時間ユニットが、ｓｉｄｅｌｉｎｋ上で系列番号が偶（又は、奇）数である時間ユニットに対応することを示す。
【０２７８】
方式２：２つのｓｉｄｅｌｉｎｋ時間ユニットのうち系列番号がより小さい（又は、より大きい）１つのｓｉｄｅｌｉｎｋ時間ユニットを示す。時間ユニット指示情報を示すビットの値が０であるとき、Ｕｕインターフェース時間ユニットが、ｓｉｄｅｌｉｎｋ上で系列番号がより小さい（又は、より大きい）時間ユニットに対応することを示し、あるいは、時間ユニット指示情報を示すビットの値が１であるとき、Ｕｕインターフェース時間ユニットが、ｓｉｄｅｌｉｎｋ上で系列番号がより大きい（又は、より小さい）時間ユニットに対応することを示す。
【０２７９】
方式３：２つのｓｉｄｅｌｉｎｋ時間ユニットのうち時間がより早い（又は、より遅い）１つのｓｉｄｅｌｉｎｋ時間ユニットを示す。時間ユニット指示情報を示すビットの値が０であるとき、Ｕｕインターフェース時間ユニットが、ｓｉｄｅｌｉｎｋ上で時間がより早い（又は、より遅い）時間ユニットに対応することを示し、あるいは、時間ユニット指示情報を示すビットの値が１であるとき、Ｕｕインターフェース時間ユニットが、ｓｉｄｅｌｉｎｋ上で時間がより遅い（又は、より早い）時間ユニットに対応することを示す。
【０２８０】
方式４：Ｕｕインターフェース上で系列番号が奇数又は（偶数）である時間ユニットに対応する２つのｓｉｄｅｌｉｎｋ時間ユニットのうち系列番号が奇数（又は、偶数）である１つのｓｉｄｅｌｉｎｋ時間ユニットを示す。時間ユニット指示情報を示すビットの値が０であるとき、Ｕｕインターフェース上で系列番号が奇数である時間ユニットが、ｓｉｄｅｌｉｎｋ上で系列番号が奇（又は、偶）数である時間ユニットに対応すること、及び／又は、Ｕｕインターフェース上で系列番号が偶数である時間ユニットが、ｓｉｄｅｌｉｎｋ上で系列番号が偶（又は、奇）数である時間ユニットに対応することを示し、あるいは、時間ユニット指示情報を示すビットの値が１であるとき、Ｕｕインターフェース上で系列番号が奇数である時間ユニットが、ｓｉｄｅｌｉｎｋ上で系列番号が偶（又は、奇）数である時間ユニットに対応すること、及び／又は、Ｕｕインターフェース上で系列番号が偶数である時間ユニットが、ｓｉｄｅｌｉｎｋ上で系列番号が奇（又は、偶）数である時間ユニットに対応することを示す。
【０２８１】
第１の端末が、Ｕｕインターフェース時間ユニットにおいて、ネットワーク側デバイスにより送出されたスケジューリング情報を受信した後、第１の端末は、スケジューリング情報に含まれる時間ユニット指示情報に従いＵｕインターフェース時間ユニットとｓｉｄｅｌｉｎｋ時間ユニットとの間の対応関係を決定することができ、Ｕｕインターフェース時間ユニットに対応する特定のｓｉｄｅｌｉｎｋ時間ユニットをさらに決定することができる。
【０２８２】
前述の方式３、及び、ｓｉｄｅｌｉｎｋ時間ユニットとＵｕインターフェース時間ユニットとの境界が図１９に示されるように整合されない場合が、例として使用される。図１９において、Ｕｕインターフェース上で系列番号がｎ＋４である時間ユニットは、ｓｉｄｅｌｉｎｋ上で系列番号がｍ＋３及びｎ＋４である時間ユニットに時間的に重なる。第１の端末は、Ｕｕインターフェース上で系列番号がｎである時間ユニットにおいて、ネットワーク側デバイスにより送出されたスケジューリング情報を受信し、スケジューリング情報は、時間ユニット指示情報を示すために使用されるビットを含む。この場合、第１の端末は、時間ユニット指示情報を示すビットの値に従い、時間ユニット指示情報により示されるｓｉｄｅｌｉｎｋ時間ユニットを決定することができる。時間ユニット指示情報を示すビットの値が０である場合、第１の端末は、最終的に決定されたｓｉｄｅｌｉｎｋ時間ユニットとして、ｓｉｄｅｌｉｎｋ上で時間的により早く、かつ系列番号がｍ＋３である時間ユニットを決定する。ビットの値が１である場合、第１の端末は、最終的に決定されたｓｉｄｅｌｉｎｋ時間ユニットとして、ｓｉｄｅｌｉｎｋ上で時間的により遅く、かつ系列番号がｍ＋４である時間ユニットを決定する。
【０２８３】
本発明のこの実施例において、時間ユニット指示情報のビットの値を使用することにより、Ｕｕインターフェース時間ユニットに時間的に重なる２つの異なるｓｉｄｅｌｉｎｋ時間ユニットを示す前述の特定の指示方式は、第１の端末で予め構成されてよく、あるいは、システム情報、専用ＲＲＣ情報、媒体アクセス制御（Medium  Access  Control、ＭＡＣ）レイヤシグナリング、又は物理レイヤシグナリングのうち１つ以上を使用することにより、第１の端末のためにネットワーク側デバイスにより構成されてよい。
【０２８４】
さらに、本発明のこの実施例において、異なる第１の端末での具体的な指示方式が異なってよい。例えば、第１の端末１について、時間ユニット指示情報のビットの値が０であるとき、時間がより早い時間ユニットが示され、あるいは、時間ユニット指示情報のビットの値が１であるとき、時間がより遅い時間ユニットが示される。第１の端末２について、時間ユニット指示情報のビットの値が０であるとき、系列番号が奇数である時間ユニットが示され、あるいは、時間ユニット指示情報のビットの値が１であるとき、系列番号が偶数である時間ユニットが示される。さらに、異なる時間周期における第１の端末での指示方式もまた異なってよい。例えば、ある時間周期において、第１の端末１について、時間ユニット指示情報のビットの値が０であるとき、時間がより早い時間ユニットが示され、あるいは、時間ユニット指示情報のビットの値が１であるとき、時間がより遅い時間ユニットが示される。別の時間周期において、第１の端末１について、時間ユニット指示情報のビットの値が０であるとき、系列番号が奇数である時間ユニットが示され、あるいは、時間ユニット指示情報のビットの値が１であるとき、系列番号が偶数である時間ユニットが示される。
【０２８５】
実現方式２：時間ユニット指示情報を使用することにより、ｓｉｄｅｌｉｎｋ上のフレーム内の時間ユニット系列番号を示す。
【０２８６】
第１の端末は、ｓｉｄｅｌｉｎｋ時間ユニットとして、ｓｉｄｅｌｉｎｋ上の時間ユニット系列番号に対応するｓｉｄｅｌｉｎｋ時間ユニットを使用し、時間ユニット系列番号に対応するｓｉｄｅｌｉｎｋ時間ユニットの時間は、Ｕｕインターフェース時間ユニットの時間よりもより遅い。
【０２８７】
一般に、各フレームは、時間ユニット系列番号を有する固定数量の時間ユニットを含む。例えば、ＬＴＥネットワークにおいて、１０個ごとの時間ユニットがフレームを形成し、時間ユニット系列番号は０乃至９である。ゆえに、本発明のこの実施例において、時間ユニット指示情報を表すビットが、ネットワーク側デバイスにより送出されるスケジューリング情報内に設定されることができ、ｓｉｄｅｌｉｎｋ上のフレーム内の時間ユニット系列番号が、時間ユニット指示情報を表すビットの値を使用することにより示される。例えば、フレームは１０個の時間ユニットを含み、フレーム内で、時間ユニット指示情報により示される時間ユニット系列番号が０乃至９である。
【０２８８】
本発明のこの実施例において、ｓｉｄｅｌｉｎｋ上のすべて又はいくつかの時間ユニット系列番号が、時間ユニット指示情報を表すビットの値を使用することにより示され得る。２つの指示方式を別個に下記で説明する。
【０２８９】
方式１：時間ユニット指示情報を表すビットの値を使用することにより、ｓｉｄｅｌｉｎｋ上のフレーム内のすべての時間ユニット系列番号を示す。
【０２９０】
本発明のこの実施例において、４ビットが、ネットワーク側デバイスにより送出されるスケジューリング情報に設定されてよく、時間ユニット指示情報を示すために使用され、ｓｉｄｅｌｉｎｋ上の時間ユニット系列番号０乃至９が、時間ユニット指示情報を示す４ビットを使用することにより示される。例えば、００００は時間ユニット系列番号０を示し、０００１は時間ユニット系列番号１を示し、以下同様であり、１００１は時間ユニット系列番号９を示す。確かに、ビット値と時間ユニット系列番号との間の前述の対応関係は、本発明のこの実施例において限定されず、他の対応関係がさらに存在してよい。
【０２９１】
本発明のこの実施例において、時間ユニット指示情報を示す４ビットの値は、ｓｉｄｅｌｉｎｋ上のすべての時間ユニット系列番号を示すことができる。ゆえに、時間ユニット指示情報は、第１の端末のリソース周期の開始時間ユニットとしてｓｉｄｅｌｉｎｋ時間ユニットの系列番号を示すために使用され得る。本発明のこの実施例において、第１の端末のリソース周期の開始時間ユニットとして示されるｓｉｄｅｌｉｎｋ時間ユニットは、境界がＵｕインターフェース時間ユニットの境界に重なるｓｉｄｅｌｉｎｋ時間ユニットであり得、あるいは、境界がＵｕインターフェース時間ユニットの境界に重なるｓｉｄｅｌｉｎｋ時間ユニットとは異なるｓｉｄｅｌｉｎｋ時間ユニットであり得る。指示方式は柔軟である。
【０２９２】
例えば、図２２において、第１の端末は、Ｕｕインターフェース上で系列番号がｎである時間ユニットにおいて、ネットワーク側デバイスにより送出されたスケジューリング情報を受信し、スケジューリング情報は、時間ユニット指示情報を示す４ビットを含み、Ｕｕインターフェース時間ユニットｎ＋４が、ｓｉｄｅｌｉｎｋ上で時間ユニット系列番号が３及び４である時間ユニットをまたぐ。時間ユニット指示情報を示す４ビットの値により示されるｓｉｄｅｌｉｎｋ時間ユニット系列番号が４である場合、第１の端末は、時間ユニット指示情報に従い、Ｕｕインターフェース時間ユニットｎ＋４が、時間ユニット系列番号が４であるｓｉｄｅｌｉｎｋ時間ユニットに対応すると決定することができ、さらに、リソース周期の開始時間ユニットとして、時間ユニット系列番号が４であるｓｉｄｅｌｉｎｋ時間ユニットを使用することができる。
【０２９３】
別の例として、図２３において、第１の端末は、Ｕｕインターフェース上で系列番号がｎである時間ユニットにおいて、ネットワーク側デバイスにより送出されたスケジューリング情報を受信し、スケジューリング情報は、時間ユニット指示情報を示す４ビットを含み、Ｕｕインターフェース時間ユニットｎ＋４が、ｓｉｄｅｌｉｎｋ上で時間ユニット系列番号が３及び４である時間ユニットに時間的に重なる。時間ユニット指示情報を示す４ビットの値により示されるｓｉｄｅｌｉｎｋ時間ユニット系列番号が５である場合、第１の端末は、時間ユニット指示情報に従い、Ｕｕインターフェース時間ユニットｎ＋４が、時間ユニット系列番号が５であるｓｉｄｅｌｉｎｋ時間ユニットに対応すると決定することができ、さらに、時間ユニット系列番号が５であるｓｉｄｅｌｉｎｋ時間ユニットを使用することができる。
【０２９４】
方式２：時間ユニット指示情報を表すビットの値を使用することにより、ｓｉｄｅｌｉｎｋ上のフレーム内のいくつかの時間ユニット系列番号を示す。
【０２９５】
本発明のこの実施例において、２又は３ビットが、ネットワーク側デバイスにより送出されるスケジューリング情報に設定されてよく、時間ユニット指示情報を示すために使用され、時間ユニット系列番号が０乃至９であるいくつかのｓｉｄｅｌｉｎｋ時間ユニットが、時間ユニット指示情報を示す２又は３ビットを使用することにより示される。例えば、３ビットが、スケジューリング情報に設定され、時間ユニット指示情報を示すために使用される。この場合、時間ユニット指示情報を示す３ビットの値が、系列番号が０乃至９である時間ユニットの中の８個の時間ユニットを示すことができ、例えば、時間ユニット系列番号０乃至７を示すことができる（あるいは、他の時間ユニット系列番号、例えば、１乃至８、２乃至９などを示すことができる）。０００は時間ユニット系列番号０を示し、００１は時間ユニット系列番号１を示し、以下同様であり、１１１は時間ユニット系列番号７を示す。確かに、ビット値と時間ユニット系列番号との間の前述の対応関係は、本発明のこの実施例において限定されず、他の対応関係が存在してよい。
【０２９６】
本発明のこの実施例において、時間ユニット指示情報を表すビットの値を使用することによりｓｉｄｅｌｉｎｋ上のいくつかの時間ユニット系列番号を示す実現方式は、時間ユニット指示情報を表すビットの値を使用することによりｓｉｄｅｌｉｎｋ上のすべての時間ユニット系列番号を示す実現方式と同様であり、時間ユニット指示情報がすべての時間ユニット系列番号を示すことができない点にのみ差がある。図２４に示されるように、３ビットの時間ユニット指示情報は、時間ユニット系列番号０乃至７を示すために使用され、時間ユニット系列番号が８及び９である時間ユニットは、示されることができない。詳細はここで再度説明されない。
【０２９７】
時間ユニット指示情報を表すビットの値を使用することによりｓｉｄｅｌｉｎｋ上のすべての時間ユニット系列番号を示すことと比較して、時間ユニット指示情報を表すビットの値を使用することによりｓｉｄｅｌｉｎｋ上のいくつかの時間ユニット系列番号を示す実現方式は、ビットを節約することができる。
【０２９８】
本発明のこの実施例において、時間ユニット指示情報は、２つ以上のビットにより示される。ゆえに、時間ユニット指示情報は、ｓｉｄｅｌｉｎｋ上の時間ユニット系列番号を直接示すことができる。示されるｓｉｄｅｌｉｎｋ時間ユニットは、Ｕｕインターフェース上の時間ユニットに重なる時間ユニットに限定されない。示されるｓｉｄｅｌｉｎｋ時間ユニットの範囲はより広く、柔軟性もまたより高い。
【０２９９】
本発明のこの実施例において、２つ以上のビットの時間ユニット指示情報を使用することによりｓｉｄｅｌｉｎｋ時間ユニットを示す前述の方式は、第１の端末で予め構成されてよく、あるいは、システム情報、専用ＲＲＣ情報、ＭＡＣレイヤシグナリング、又は物理レイヤシグナリングのうち１つ以上を使用することにより、第１の端末のためにネットワーク側デバイスにより構成されてよい。
【０３００】
さらに、本発明のこの実施例において、異なる第１の端末での具体的な指示方式が異なってよい。例えば、第１の端末１について、３ビットにより示される時間ユニット指示情報が、時間ユニット系列番号が０乃至７であるｓｉｄｅｌｉｎｋ時間ユニットを示す。第１の端末２について、３ビットにより示される時間ユニット指示情報が、時間ユニット系列番号が１乃至８であるｓｉｄｅｌｉｎｋ時間ユニットを示す。さらに、異なる時間周期における第１の端末での指示方式もまた異なってよい。例えば、ある時間周期において、第１の端末１について、３ビットにより示される時間ユニット指示情報が、時間ユニット系列番号が０乃至７であるｓｉｄｅｌｉｎｋ時間ユニットを示し、しかし別の時間周期において、第１の端末１について、３ビットにより示される時間ユニット指示情報が、時間ユニット系列番号が１乃至８であるｓｉｄｅｌｉｎｋ時間ユニットを示す。
【０３０１】
実現方式３：時間ユニット指示情報を使用することにより、Ｕｕインターフェース時間ユニット系列番号とｓｉｄｅｌｉｎｋ時間ユニット系列番号との間の差を示し、それにより、端末デバイスは、差に従いｓｉｄｅｌｉｎｋ時間ユニットを決定する。
【０３０２】
本発明のこの実施例において、ネットワーク側デバイスは、時間ユニット指示情報を使用することにより、Ｕｕインターフェース上でスケジューリング情報が送出された第ｎの時間ユニットの後の第Ｋの時間ユニットの時間ユニット系列番号と、ｓｉｄｅｌｉｎｋ時間ユニット系列番号との間を差を示すことができる。例えば、図２５に示されるように、第１の端末は、Ｕｕインターフェース上で時間ユニット系列番号が４である時間ユニットにおいてスケジューリング情報を受信する。スケジューリング情報に含まれる時間ユニット指示情報により示される、Ｕｕインターフェース上でスケジューリング情報が送出された第ｎの時間ユニットの後の第Ｋの時間ユニットの時間ユニット系列番号とｓｉｄｅｌｉｎｋ時間ユニット系列番号との間の差が、０である場合、第１の端末は、Ｕｕインターフェース上で時間ユニット系列番号が４である時間ユニットが、ｓｉｄｅｌｉｎｋ上で系列番号が４であるｓｉｄｅｌｉｎｋ時間ユニットに対応すると決定することができる。スケジューリング情報に含まれる時間ユニット指示情報により示される、Ｕｕインターフェース上でスケジューリング情報が送出された第ｎの時間ユニットの後の第Ｋの時間ユニットの時間ユニット系列番号とｓｉｄｅｌｉｎｋ時間ユニット系列番号との間の差が、１である場合、第１の端末は、Ｕｕインターフェース上で時間ユニット系列番号が４である時間ユニットが、ｓｉｄｅｌｉｎｋ上で系列番号が３であるｓｉｄｅｌｉｎｋ時間ユニットに対応すると決定することができる。
【０３０３】
本発明のこの実施例において、時間ユニット指示情報により示される、Ｕｕインターフェース上でスケジューリング情報が送出された第ｎの時間ユニットの後の第Ｋの時間ユニットの時間ユニット系列番号とｓｉｄｅｌｉｎｋ時間ユニット系列番号との間の差は、ｓｉｄｅｌｉｎｋ時間ユニットを示す。示されるｓｉｄｅｌｉｎｋ時間ユニットは、Ｕｕインターフェース上の時間ユニットに重なる時間ユニットに限定されない。示されるｓｉｄｅｌｉｎｋ時間ユニットの範囲はより広く、柔軟性もまたより高い。
【０３０４】
前述の時間ユニット指示情報は、Ｕｕインターフェース上の時間ユニットｎ＋Ｋがｓｉｄｅｌｉｎｋ時間ユニット系列番号に対応することを示す点に留意すべきである。これは、説明のための例として使用される。しかしながら、本発明のこの実施例は、時間ユニットｎ＋Ｋに対応するｓｉｄｅｌｉｎｋ時間ユニット系列番号を示すことに限定されない。時間ユニット指示情報はさらに、Ｕｕインターフェース上の固定時間ユニットがｓｉｄｅｌｉｎｋ時間ユニット系列番号に対応することを示し、例えば、Ｕｕインターフェース上で系列番号が０である時間ユニットがｓｉｄｅｌｉｎｋ時間ユニット系列番号に対応することを示してよい。固定時間ユニットの系列番号は固定又は可変でよく、あるいは予め構成されてよく、あるいは、システム情報、専用ＲＲＣシグナリング、ＭＡＣレイヤシグナリング、ＰＨＹシグナリングなどを使用することにより、送出ＵＥに対してｅＮＢにより通知されてよい。
【０３０５】
方式４：時間ユニット指示情報を使用することにより、時間ユニットスケジューリング対応関係情報により示される少なくとも１つのｓｉｄｅｌｉｎｋ時間ユニットのうち少なくとも１つを示す。
【０３０６】
本発明のこの実施例において、時間ユニットスケジューリング対応関係情報は、Ｕｕインターフェース時間ユニットに対応する少なくとも１つのｓｉｄｅｌｉｎｋ時間ユニットを示すために使用される。第１の端末は、Ｕｕインターフェース時間ユニット及び時間ユニットスケジューリング情報に従い、時間ユニット指示情報が受信されたＵｕインターフェース時間ユニットに対応する少なくとも１つのｓｉｄｅｌｉｎｋ時間ユニットを決定し、最終的に必要とされるｓｉｄｅｌｉｎｋ時間ユニットとして、Ｕｕインターフェース時間ユニットに対応する少なくとも１つのｓｉｄｅｌｉｎｋ時間ユニットのうち時間ユニット指示情報により示される少なくとも１つのｓｉｄｅｌｉｎｋ時間ユニットを使用することができる。
【０３０７】
本発明のこの実施例において、Ｕｕインターフェース時間ユニットは、ネットワークデバイスがスケジューリング情報を送出したＵｕインターフェース時間ユニットであり得る。例えば、例として表１における構成６を使用し、下りリンク送信に使用され得る時間ユニットは、０、１、５、６、及び９である。Ｕｕインターフェース時間ユニットに対応する少なくとも１つのｓｉｄｅｌｉｎｋ時間ユニットは、表２に示されるように時間ユニットスケジューリング対応関係情報により示される少なくとも１つのｓｉｄｅｌｉｎｋ時間ユニットであり得る。例えば、Ｕｕインターフェース上で系列番号が０である時間ユニットは、ｓｉｄｅｌｉｎｋ上で系列番号が４及び／又は５である時間ユニットに対応する。Ｕｕインターフェース上で系列番号が１である時間ユニットは、ｓｉｄｅｌｉｎｋ上で系列番号が６及び／又は７である時間ユニットに対応する。Ｕｕインターフェース上で系列番号が０である時間ユニットにおいてネットワーク側デバイスにより送出されたスケジューリング情報は、ｓｉｄｅｌｉｎｋ上で系列番号が４及び／又は５である時間ユニットにおいてデータを送出するように第１の端末をスケジュールするために使用されてよい。Ｕｕインターフェース上で系列番号が１である時間ユニットにおいてネットワーク側デバイスにより送出されたスケジューリング情報は、ｓｉｄｅｌｉｎｋ上で系列番号が６及び／又は７である時間ユニットにおいてデータを送出するように第１の端末をスケジュールするために使用されてよい。
【表２】
2019503624.tif 000004
【０３０８】
本発明のこの実施例において、時間ユニットスケジューリング対応関係情報は、システムに予め定義されてよく、あるいはネットワーク側デバイスにより構成されてよい。ネットワーク側デバイスにより構成されるとき、時間ユニットスケジューリング対応関係情報は、システム情報又は専用ＲＲＣシグナリングのうち少なくとも１つを使用することにより送信されてよい。
【０３０９】
本発明のこの実施例において、時間ユニット指示情報が、時間ユニットスケジューリング対応関係情報により示される少なくとも１つのｓｉｄｅｌｉｎｋ時間ユニットのうち少なくとも１つを示す実現方式は、前述の方式１、方式２、及び方式３においてＵｕインターフェース時間ユニットの後の第ＫのＵｕインターフェース時間ユニットに時間的に重なる２つのｓｉｄｅｌｉｎｋ時間ユニットのうち１つを示す実現方式と同様であり、少なくとも１つのｓｉｄｅｌｉｎｋ時間ユニットのうち少なくとも１つを示すことにのみ差がある。具体的な実現方式について、前述の方式１、方式２、及び方式３における実現方式を参照する。詳細はここで再度説明されない。
【０３１０】
例えば、ネットワーク側デバイスは、系列番号がｎであるＵｕインターフェース上でスケジューリング情報を第１の端末に送出し、スケジューリング情報は、時間ユニット指示情報を含む。第１の端末は、Ｕｕインターフェース時間ユニット及び時間ユニットスケジューリング情報に従い、Ｕｕインターフェース時間ユニットに対応する少なくとも１つのｓｉｄｅｌｉｎｋ時間ユニットを決定し、ｓｉｄｅｌｉｎｋ時間ユニットとして、Ｕｕインターフェース時間ユニットに対応する少なくとも１つのｓｉｄｅｌｉｎｋ時間ユニットのうち時間ユニット指示情報により示される少なくとも１つのｓｉｄｅｌｉｎｋ時間ユニットを使用する。例えば、第１の端末は、系列番号が０であるＵｕインターフェース時間ユニットにおいてネットワーク側デバイスにより送出されたスケジューリング情報を受信し、系列番号が０であるＵｕインターフェース時間ユニットと、表２に示される時間ユニットスケジューリング対応関係情報とに従い、系列番号が０であるＵｕインターフェース時間ユニットが、ｓｉｄｅｌｉｎｋ上で系列番号が４及び５であるｓｉｄｅｌｉｎｋ時間ユニットに対応すると決定することができる。第１の端末は、スケジューリング情報内の時間ユニット指示情報に従い、１つ以上のｓｉｄｅｌｉｎｋ時間ユニットを決定する。例えば、時間ユニット指示情報は、２つの時間ユニットのうち系列番号が奇数である１つの時間ユニットを示し、ゆえに、ｓｉｄｅｌｉｎｋ上で系列番号が５である時間ユニットを示す。端末デバイスは、決定されたｓｉｄｅｌｉｎｋ時間ユニットにおいて通信データを送出する。
【０３１１】
方式５：時間ユニット指示情報を使用することにより、時間ユニット指示情報が受信されたＵｕインターフェース時間ユニットの後の第Ｋの時間ユニットに対応するｓｉｄｅｌｉｎｋ時間ユニットを示し、それにより、第１の端末は、通信データを送出するために使用される最終的なｓｉｄｅｌｉｎｋ時間ユニットとして、Ｕｕインターフェース時間ユニットの後の第Ｋの時間ユニットに対応するｓｉｄｅｌｉｎｋ時間ユニットを使用する。
【０３１２】
さらに、ＴＤＤモードにおいて、Ｕｕインターフェース上で下りリンクデータ送信に使用されるＵｕインターフェース時間ユニットが、ｓｉｄｅｌｉｎｋ上で指定された系列番号を有するｓｉｄｅｌｉｎｋ時間ユニットをスケジュールするために使用されてよい。しかしながら、Ｕｕインターフェース上で下りリンクデータ送信に使用されるＵｕインターフェース時間ユニットの数量が、ｓｉｄｅｌｉｎｋ上のｓｉｄｅｌｉｎｋ時間ユニットの数量にマッチしないため、ｓｉｄｅｌｉｎｋ上のいくつかの時間ユニットがスケジュールできない。例えば、図２６において、系列番号が０、１、５、６、及び９であるＵｕインターフェース時間ユニットのみが、ｓｉｄｅｌｉｎｋ上で系列番号が０、１、５、６、及び９である対応するｓｉｄｅｌｉｎｋ時間ユニットをスケジュールすることができる。しかしながら、図２６に示されるように、Ｕｕインターフェース時間ユニット（上りリンク送信に使用されるＵｕインターフェース時間ユニット、下りリンク送信に使用されるＵｕインターフェース時間ユニット、及び特殊時間ユニットを含む）とｓｉｄｅｌｉｎｋ時間ユニットとの間に、対応関係がある。ゆえに、本発明のこの実施例において、時間ユニット指示情報は、時間ユニット指示情報が受信されたＵｕインターフェース時間ユニットの後の第Ｋの時間ユニットに対応するｓｉｄｅｌｉｎｋ時間ユニットが、通信データを送出するために使用される最終的なｓｉｄｅｌｉｎｋ時間ユニットとして使用されることを示すために使用されてよい。
【０３１３】
例えば、図２６において、第１の端末は、系列番号が０であるＵｕインターフェース時間ユニットにおいて時間ユニット指示情報を送出し、系列番号が０であるＵｕインターフェース時間ユニットと、時間ユニット指示情報とに従い、第１の端末は、Ｕｕインターフェース上で系列番号が０であるＵｕインターフェース時間ユニットの後の第Ｋの時間ユニットに対応するｓｉｄｅｌｉｎｋ上のｓｉｄｅｌｉｎｋ時間ユニットを決定する。例えば、時間ユニット指示情報は、Ｋが５であると示す。この場合、第１の端末は、Ｕｕインターフェース上で系列番号が５である時間ユニットに対応するｓｉｄｅｌｉｎｋ時間ユニットが、ｓｉｄｅｌｉｎｋ上で系列番号が５であるｓｉｄｅｌｉｎｋ時間ユニットであると決定する。
【０３１４】
本発明のこの実施例において、ネットワーク側デバイスがｓｉｄｅｌｉｎｋ上のリソースをより良くスケジュールすることを可能にするために、第１の端末は、Ｕｕインターフェース時間ユニットとｓｉｄｅｌｉｎｋ時間ユニットとの間の相対関係を報告することができ、ネットワーク側デバイスは、第１の端末により報告されるＵｕインターフェース時間ユニットとｓｉｄｅｌｉｎｋ時間ユニットとの間の相対関係に従い、時間ユニット指示情報により示されるＵｕインターフェース時間ユニットとｓｉｄｅｌｉｎｋ時間ユニットとの間の対応関係を決定することができる。図２７に示されるように、特定の実現プロセスが下記のステップを含む。
【０３１５】
Ｓ４０１．第１の端末が、Ｕｕインターフェース時間ユニットとｓｉｄｅｌｉｎｋ時間ユニットとの間の相対関係をネットワーク側デバイスに送出する。
【０３１６】
本発明のこの実施例において、第１の端末は、専用ＲＲＣシグナリング、ＭＡＣレイヤシグナリング、又は物理レイヤシグナリングを使用することにより、Ｕｕインターフェース時間ユニットとｓｉｄｅｌｉｎｋ時間ユニットとの間の相対関係をネットワーク側デバイスに送出することができる。
【０３１７】
本発明のこの実施例において、第１の端末によりネットワーク側デバイスに送出されるＵｕインターフェース時間ユニットとｓｉｄｅｌｉｎｋ時間ユニットとの間の相対関係は、Ｕｕインターフェース時間ユニットに対応する２つのｓｉｄｅｌｉｎｋ時間ユニット系列番号であり得、それにより、ネットワーク側デバイスは、時間ユニット系列番号に従い、Ｕｕインターフェース上でスケジューリング情報が送出された第ｎの時間ユニットの後の第Ｋの時間ユニットに対応するｓｉｄｅｌｉｎｋ時間ユニットを決定することができる。例えば、第１の端末は、Ｕｕインターフェース上で時間ユニット系列番号が０である時間ユニットに対応する２つのｓｉｄｅｌｉｎｋ時間ユニット系列番号を固定的に報告してよい。図２３に示されるように、Ｕｕインターフェース上で系列番号が０である時間ユニットは、ｓｉｄｅｌｉｎｋ上で時間ユニット系列番号が３及び４であるｓｉｄｅｌｉｎｋ時間ユニットをまたぎ、ゆえに、第１の端末は、ｓｉｄｅｌｉｎｋ上で時間ユニット系列番号が３及び４である時間ユニットをネットワーク側デバイスに送出し得る。ネットワーク側デバイスが、Ｕｕインターフェース上で時間ユニット系列番号が６である時間ユニットにおいてスケジューリング情報を送出する場合、Ｕｕインターフェース上でネットワーク側デバイスがスケジューリング情報を送出した時間ユニットの後の、時間ユニット系列番号が０である第４の時間ユニットが、ｓｉｄｅｌｉｎｋ上で時間ユニット系列番号が３及び４であるｓｉｄｅｌｉｎｋ時間ユニットに重なることが決定され得る。さらに、ネットワーク側デバイスは、時間ユニット指示情報を使用することにより、時間ユニット系列番号が３又は４であるｓｉｄｅｌｉｎｋ時間ユニットを示してよい。
【０３１８】
第１の端末によりネットワーク側デバイスに送出されるＵｕインターフェース時間ユニットとｓｉｄｅｌｉｎｋ時間ユニットとの間の相対関係は、さらに、Ｕｕインターフェース時間ユニットに対応する２つのｓｉｄｅｌｉｎｋ時間ユニット系列番号のうち１つであり得、報告される時間ユニット系列番号は、時間がより早い時間ユニットの系列番号であり得、あるいは時間がより遅い時間ユニットの系列番号であり得る。ネットワーク側デバイスは、取得された時間ユニット系列番号を使用することにより、他の時間ユニット系列番号を決定し、さらに、前述の方式で、スケジューリング情報が送出されたＵｕインターフェース時間ユニットに重なるｓｉｄｅｌｉｎｋ時間ユニットを決定してよい。
【０３１９】
本発明のこの実施例において、第１の端末により報告される時間ユニット系列番号に対応するＵｕインターフェース時間ユニット系列番号は、固定又は可変でよく、あるいは予め構成されてよく、あるいは、システム情報、専用ＲＲＣシグナリング、ＭＡＣレイヤシグナリング、物理レイヤシグナリングなどを使用することにより、第１の端末に対してネットワーク側デバイスにより通知されてよい。
【０３２０】
第１の端末によりネットワーク側デバイスに送出されるＵｕインターフェース時間ユニットとｓｉｄｅｌｉｎｋ時間ユニットとの間の相対関係は、さらに、ｓｉｄｅｌｉｎｋ時間ユニットに対応する２つのＵｕインターフェース時間ユニット系列番号、若しくは２つの時間ユニット系列番号のうち１つ（例えば、時間がより早いか又はより遅いもの）、又は、Ｕｕインターフェース上の時間ユニットとｓｉｄｅｌｉｎｋ上の２つの対応するｓｉｄｅｌｉｎｋ時間ユニット若しくは２つのｓｉｄｅｌｉｎｋ時間ユニットのうち１つとの間の系列番号差であり得、あるいは、ｓｉｄｅｌｉｎｋ上の２つのｓｉｄｅｌｉｎｋ時間ユニットとＵｕインターフェース上の時間ユニットとの間の系列番号差であり得、あるいはｓｉｄｅｌｉｎｋ上の２つのｓｉｄｅｌｉｎｋ時間ユニットのうち１つとＵｕインターフェース上の時間ユニットとの間の系列番号差であり得る。
【０３２１】
Ｓ４０２．ネットワーク側デバイスが、第１の端末により報告されるＵｕインターフェース時間ユニットとｓｉｄｅｌｉｎｋ時間ユニットとの間の相対関係に従い、Ｕｕインターフェース上でスケジューリング情報が送出された第ｎの時間ユニットの後の第Ｋの時間ユニットに対応するｓｉｄｅｌｉｎｋ上のｓｉｄｅｌｉｎｋ時間ユニットを決定し、さらに、時間ユニット指示情報により示されるＵｕインターフェース時間ユニットとｓｉｄｅｌｉｎｋ時間ユニットとの間の対応関係を決定することができる。
【０３２２】
Ｓ４０３．ネットワーク側デバイスが時間ユニット指示情報を送出し、時間ユニット指示情報は、Ｕｕインターフェース時間ユニットとｓｉｄｅｌｉｎｋ時間ユニットとの間の対応関係を示すために使用され、ｓｉｄｅｌｉｎｋ時間ユニットは、第１の端末により報告されるＵｕインターフェース時間ユニットとｓｉｄｅｌｉｎｋ時間ユニットとの間の相対関係に従いネットワーク側デバイスにより決定され、かつＵｕインターフェース上でスケジューリング情報が送出された第ｎの時間ユニットの後の第Ｋの時間ユニットに対応する、ｓｉｄｅｌｉｎｋ上のｓｉｄｅｌｉｎｋ時間ユニットである。
【０３２３】
Ｓ４０４．第１の端末が、時間ユニット指示情報を受信し、時間ユニット指示情報に従いｓｉｄｅｌｉｎｋ時間ユニットを決定する。
【０３２４】
本発明のこの実施例において、第１の端末は、Ｕｕインターフェース時間ユニットとｓｉｄｅｌｉｎｋ時間ユニットとの間の相対関係を報告し、ネットワーク側デバイスは、第１の端末により報告されるＵｕインターフェース時間ユニットとｓｉｄｅｌｉｎｋ時間ユニットとの間の相対関係に従い、Ｕｕインターフェース上でスケジューリング情報が送出された第ｎの時間ユニットの後の第Ｋの時間ユニットに対応するｓｉｄｅｌｉｎｋ時間ユニットを決定し、すなわち、Ｕｕインターフェース時間ユニットとｓｉｄｅｌｉｎｋ時間ユニットとの間の対応関係を決定し、時間ユニット指示情報を使用することにより、Ｕｕインターフェース時間ユニットとｓｉｄｅｌｉｎｋ時間ユニットとの間の対応関係を示すことができ、それにより、ネットワーク側デバイスは、ｓｉｄｅｌｉｎｋ上のリソースをより良くスケジュールすることができる。
【０３２５】
本発明のこの実施例において上記で説明されたものは、ネットワーク側デバイスがＵｕインターフェース時間ユニットとｓｉｄｅｌｉｎｋ時間ユニットとの間の対応関係を示すために時間ユニット指示情報を送出する実現方式であり、時間ユニット指示情報を示すために特別に使用されるビットが、スケジューリング情報内に設定される必要がある。本発明のこの実施例により提供される別の実現方式において、ｓｉｄｅｌｉｎｋ時間ユニットがＵｕインターフェース時間ユニットに従い決定できないという欠点を回避するために、この実現方式において、Ｕｕインターフェース時間ユニットとｓｉｄｅｌｉｎｋ時間ユニットとの間の対応関係を示すために使用される暗黙的なルールが、ネットワーク側デバイスと第１の端末との間に予め構成され得る。ネットワーク側デバイスと第１の端末とが、Ｕｕインターフェース上でネットワーク側デバイスがスケジューリング情報を送出した第ｎの時間ユニットの後の第Ｋの時間ユニットを決定したとき、エアインターフェース上でネットワーク側デバイスがスケジューリング情報を送出した第ｎの時間ユニットの後の第Ｋの時間ユニットに対応するｓｉｄｅｌｉｎｋ時間ユニットが、予め構成された暗黙的なルールに従い決定され得る。第１の端末は、暗黙的なルールに従い、Ｕｕインターフェース上の第ｎの時間ユニットの後の第Ｋの時間ユニットに対応する特定のｓｉｄｅｌｉｎｋ時間ユニットを決定し、リソース周期の開始時間ユニットとして、決定されたｓｉｄｅｌｉｎｋ時間ユニットを使用する。
【０３２６】
本発明のこの実施例において、暗黙的なルールにより示されるＵｕインターフェース時間ユニットとｓｉｄｅｌｉｎｋ時間ユニットとの間の対応関係は、時間ユニット指示情報を使用することにより示されるＵｕインターフェース時間ユニットとｓｉｄｅｌｉｎｋ時間ユニットとの間の対応関係と同じである点に留意すべきである。詳細については、前述の実施形態における時間ユニット指示情報を使用することにより示されるＵｕインターフェース時間ユニットとｓｉｄｅｌｉｎｋ時間ユニットとの間の対応関係を参照する。詳細はここで再度説明されない。
【０３２７】
本発明の実施例において、「複数」は２以上を表す点に留意すべきである。用語「及び／又は」は、関連づけられた対象を説明するための関連づけ関係を説明し、３つの関係が存在し得ることを表す。例えば、Ａ及び／又はＢは下記の３つの場合を表し得る：Ａのみが存在する、Ａ及びＢの双方が存在する、並びにＢのみが存在する。文字「／」は、関連づけられた対象間の「又は」関係を一般に示す。
【０３２８】
当業者は、実施例の前述の方法の各々におけるステップの全部又は一部が、プロセッサに命令するプログラムにより実現され得ることを理解し得る。前述のプログラムは、コンピュータ読取可能記憶媒体に記憶されてよい。記憶媒体は、非一時的（non-transitory）媒体、例えば、ランダムアクセスメモリ、読取専用メモリ、フラッシュメモリ、ハードディスク、ソリッドステートドライブ、磁気テープ（magnetic  tape）、フロッピーディスク（floppy  disk）、光ディスク（optical  disc）、又はこれらの任意の組み合わせなどであり得る。
【０３２９】
本発明は、本発明の実施例に従う方法及びデバイスのフローチャート及びブロック図を参照して説明される。コンピュータプログラム命令が、フローチャート及びブロック図内の各プロセス及び各ブロック、並びにフローチャート及びブロック図内のプロセス及びブロックの組み合わせを実現するために使用され得ることが理解されるべきである。これらコンピュータプログラム命令は、汎用目的コンピュータ、専用コンピュータ、組み込みプロセッサ、又はマシンを生成するための任意の他のプログラム可能データ処理デバイスのプロセッサに提供されてよく、それにより、コンピュータ又は任意の他のプログラム可能データ処理デバイスのプロセッサにより実行された命令は、フローチャートの中の１つ以上プロセス内、又はブロック図の中の１つ以上のブロック内の特定の機能を実現する装置を生成する。
【０３３０】
前述の説明は、単に本発明の例示的な実現方式であり、本発明の保護範囲を限定するようには意図されない。本発明において開示される技術的範囲内で当業者により容易に考え出されるいかなる変形又は置換も、本発明の保護範囲内に入るものとする。ゆえに、本発明の保護範囲は、特許請求の範囲の保護範囲に従うものとする。
【図１Ａ】
2019503624.tif 000005
【図１Ｂ】
2019503624.tif 000006
【図２Ａ】
2019503624.tif 000007
【図２Ｂ】
2019503624.tif 000008
【図２Ｃ】
2019503624.tif 000009
【図３】
2019503624.tif 000010
【図４】
2019503624.tif 000011
【図５】
2019503624.tif 000012
【図６】
2019503624.tif 000013
【図７】
2019503624.tif 000014
【図８Ａ】
2019503624.tif 000015
【図８Ｂ】
2019503624.tif 000016
【図９】
2019503624.tif 000017
【図１０】
2019503624.tif 000018
【図１１】
2019503624.tif 000019
【図１２】
2019503624.tif 000020
【図１３】
2019503624.tif 000021
【図１４】
2019503624.tif 000022
【図１５】
2019503624.tif 000023
【図１６】
2019503624.tif 000024
【図１７】
2019503624.tif 000025
【図１８Ａ】
2019503624.tif 000026
【図１８Ｂ】
2019503624.tif 000027
【図１９】
2019503624.tif 000028
【図２０】
2019503624.tif 000029
【図２１】
2019503624.tif 000030
【図２２】
2019503624.tif 000031
【図２３】
2019503624.tif 000032
【図２４】
2019503624.tif 000033
【図２５】
2019503624.tif 000034
【図２６】
2019503624.tif 000035
【図２７】
2019503624.tif 000036
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
第１の端末により、リソース周期パラメータを取得するステップであり、前記リソース周期パラメータは、ネットワーク側デバイスにより送出され、あるいは前記第１の端末により予め構成され、少なくとも１つのリソースがあり、前記リソース周期パラメータは、前記少なくとも１つのリソースの各々の周期継続時間を含む、ステップと、
前記第１の端末により、リソース周期の開始時間ユニットを決定するステップと、
前記第１の端末により、前記リソース周期の前記開始時間ユニットと前記リソース周期パラメータとに従い通信データを送出するステップと、
を含む通信方法。
【請求項２】
前記第１の端末は、自律的に選択された時間ドメインリソースを使用することにより前記通信データを送出し、
前記第１の端末により、前記リソース周期の開始時間ユニットを決定する前記ステップは、
前記第１の端末により、前記リソース周期の前記開始時間ユニットとして、より高いレイヤでトランスポートブロックを送出するための開始サブフレームを使用するステップ
を含む、請求項１に記載の方法。
【請求項３】
当該方法は、
前記第１の端末により、送信系列番号指示情報及び時間ドメイン送信リソース指示情報を第２の端末に送出するステップ、をさらに含み、
前記送信系列番号指示情報は、前記リソース周期における前記送出される通信データの送信系列番号を示すために使用され、
前記時間ドメイン送信リソース指示情報は、前記リソース周期の前記開始時間ユニットに対して相対的であり、かつ前記リソース周期に前記通信データを送出するために毎回占有される、時間ドメインリソース位置を示すために使用される、
請求項１に記載の方法。
【請求項４】
当該方法は、
前記第１の端末により、リソース周期指示情報を第２の端末に送出するステップであり、前記リソース周期指示情報は、前記第１の端末により使用される前記リソース周期を示すために使用される、ステップ
をさらに含む、請求項１に記載の方法。
【請求項５】
第２の端末により、第１の端末により送出された送信系列番号指示情報及び時間ドメイン送信リソース指示情報を取得するステップであり、
前記送信系列番号指示情報は、リソース周期における送出される通信データの送信系列番号を示すために使用され、
前記時間ドメイン送信リソース指示情報は、前記リソース周期の開始時間ユニットに対して相対的であり、かつ前記リソース周期に前記通信データを送出するために毎回占有される、時間ドメインリソース位置を示すために使用される、ステップと、
前記第２の端末により前記送信系列番号指示情報及び前記時間ドメイン送信リソース指示情報に従い、時間ドメイン送信において前記リソース周期に前記第１の端末が毎回送出する前記通信データの前記時間ドメインリソース位置を決定するステップと、
を含む通信方法。
【請求項６】
送出端末に適用される通信装置であって、
リソース周期パラメータを取得するように構成された受信ユニットであり、前記リソース周期パラメータは、ネットワーク側デバイスにより送出され、あるいは前記送出端末により予め構成され、少なくとも１つのリソースがあり、前記リソース周期パラメータは、前記少なくとも１つのリソースの各々の周期継続時間を含む、受信ユニットと、
リソース周期の開始時間ユニットを決定するように構成された処理ユニットと、
前記処理ユニットにより決定された前記リソース周期の前記開始時間ユニットと前記受信ユニットにより受信された前記リソース周期パラメータとに従い通信データを送出するように構成された送出ユニットと、
を含む通信装置。
【請求項７】
前記送出端末は、自律的に選択された時間ドメインリソースを使用することにより前記通信データを送出し、
前記処理ユニットは、下記の
前記リソース周期の前記開始時間ユニットとして、より高いレイヤでトランスポートブロックを送出するための開始サブフレームを使用する方式
において前記リソース周期の前記開始時間ユニットを具体的に決定する、
請求項６に記載の通信装置。
【請求項８】
前記送出ユニットは、送信系列番号指示情報及び時間ドメイン送信リソース指示情報を、前記送出端末との直接通信を実行する受信端末に送出するようにさらに構成され、
前記送信系列番号指示情報は、前記リソース周期における前記送出される通信データの送信系列番号を示すために使用され、
前記時間ドメイン送信リソース指示情報は、前記リソース周期の前記開始時間ユニットに対して相対的であり、かつ前記リソース周期に前記通信データを送出するために毎回占有される、時間ドメインリソース位置を示すために使用される、
請求項６に記載の通信装置。
【請求項９】
前記送出ユニットは、リソース周期指示情報を、前記送出端末との直接通信を実行する受信端末に送出するようにさらに構成され、前記リソース周期指示情報は、前記送出端末により使用される前記リソース周期を示すために使用される、請求項６に記載の通信装置。
【請求項１０】
受信端末に適用される通信装置であって、
前記受信端末とのデバイス対デバイス通信を実行する送出端末により送出された送信系列番号指示情報及び時間ドメイン送信リソース指示情報を取得するように構成された受信ユニットであり、前記送信系列番号指示情報は、リソース周期における送出される通信データの送信系列番号を示すために使用され、前記時間ドメイン送信リソース指示情報は、前記リソース周期の開始時間ユニットに対して相対的であり、かつ前記リソース周期に前記通信データを送出するために毎回占有される、時間ドメインリソース位置を示すために使用される、受信ユニットと、
前記受信ユニットにより取得された前記送信系列番号指示情報及び前記時間ドメイン送信リソース指示情報に従い、時間ドメイン送信において前記リソース周期に前記送出端末が毎回送出する前記通信データの前記時間ドメインリソース位置を決定するように構成された処理ユニットと、
を含む通信装置。
【手続補正２】
【補正対象書類名】明細書
【補正対象項目名】０００３
【補正方法】変更
【補正の内容】
【０００３】
通信技術の発達により、デバイス対デバイス（Device  to  Device、Ｄ２Ｄ）通信又は車両対車両（Vehicle  to  Vehicle、Ｖ２Ｖ）通信がデバイス間で実行できる。
【国際調査報告】
2019503624.tif 000037
2019503624.tif 000038
2019503624.tif 000039
2019503624.tif 000040